(57)【特許請求の範囲】
【請求項１】
ワイヤレス通信システム中で制御リソースを管理する方法において、
１組の制御チャネルグループと、対応する１組の制御リソースとを識別することと、
予め定められている整数Ｎの、Ｎ個のスーパーグループに、前記１組の制御チャネルグループをグループ化し、各スーパーグループは、複数の異なる制御チャネルグループを有することと、
前記１組の制御リソースを、Ｎ個のオーバーラップしていない部分集合に分割することと、
前記スーパーグループを、前記制御リソースのそれぞれの部分集合にマッピングし、それにより、前記それぞれのスーパーグループ中の制御チャネルグループが、前記制御リソースの対応する部分集合に対して多重化されることとを含む方法。
【請求項２】
前記制御チャネルグループは、物理ハイブリッド自動再送要求インジケータチャネル（ＰＨＩＣＨ）グループである請求項１記載の方法。
【請求項３】
前記予め定められている整数Ｎは２に等しい請求項１記載の方法。
【請求項４】
前記グループ化することは、
奇数でインデックスが付けられた制御チャネルグループを、奇数のスーパーグループにグループ化することと、
偶数でインデックスが付けられた制御チャネルグループを、偶数のスーパーグループにグループ化することとを含む請求項３記載の方法。
【請求項５】
前記１組の制御チャネルグループは、４つの制御チャネルグループを含み、それぞれのスーパーグループは、２つの制御チャネルグループを含む請求項３記載の方法。
【請求項６】
前記ワイヤレス通信システムは、拡張されたサイクリックプリフィックス（ＣＰ）を利用する請求項３記載の方法。
【請求項７】
前記マッピングすることは、
前記それぞれのスーパーグループに関係するＳＦ２拡散コードを識別することと、
第１のスーパーグループ中のそれぞれの制御チャネルグループに対する第１の組のコード位置と、第２のスーパーグループ中のそれぞれの制御チャネルグループに対する、前記第１の組のコード位置とオーバーラップしていない第２の組のコード位置とにおいて、ＳＦ２拡散コードに対してゼロを追加することを少なくとも部分的に行うことにより、前記識別されたＳＦ２拡散コードをＳＦ４拡散コードに拡張することと、
前記拡張されたＳＦ４拡散コードを使用して、前記第１のスーパーグループおよび前記第２のスーパーグループ中の制御チャネルグループを、前記１組の制御リソースにマッピングすることとを含む請求項６記載の方法。
【請求項８】
前記１組の制御リソースは、４つのリソースエレメントを含むリソースエレメントグループ（ＲＥＧ）に対応する請求項１記載の方法。
【請求項９】
前記グループ化することは、前記１組の制御チャネルグループ中のそれぞれの制御チャネルグループを、第１のスーパーグループと、第２のスーパーグループとにグループ化することを含み、
前記マッピングすることは、前記ＲＥＧ中の、第１のリソースエレメントと第２のリソースエレメントとに、前記第１のスーパーグループをマッピングすることと、前記第１のリソースエレメントと前記第２のリソースエレメントとはそれぞれ異なる、前記ＲＥＧ中の第３のリソースエレメントと第４のリソースエレメントとに、前記第２のスーパーグループをマッピングすることとを含む請求項８記載の方法。
【請求項１０】
前記制御チャネルグループがそれぞれマッピングされている前記制御リソースを使用して、前記制御チャネルグループを１つ以上の端末に送信することをさらに含む請求項１記載の方法。
【請求項１１】
前記送信することは、１つ以上の送信アンテナを使用して、前記制御チャネルグループを送信することを含む請求項１０記載の方法。
【請求項１２】
ワイヤレス通信装置において、
複数の制御インジケータグループおよび１組の通信リソースに関連するデータと、前記複数の制御インジケータグループに関係付けられている第１の拡散コードに関連するデータとを記憶するメモリと、
各制御インジケータグループの組が、複数の異なる制御インジケータグループを有するように、それぞれの制御インジケータグループを、第１の制御インジケータグループの組と第２の制御インジケータグループの組とにグループ化し、前記１組の通信リソースを、第１および第２の、オーバーラップしていない部分に分割し、前記第１の拡散コードを拡張して、前記第１の拡散コードよりも高い拡散係数を有する第２の拡散コードを生成させ、前記第２の拡散コードを使用して、前記第１の制御インジケータグループの組を、前記通信リソースの第１の部分にマッピングし、前記第２の拡散コードを使用して、前記第２の制御インジケータグループの組を、前記通信リソースの第２の部分にマッピングするように構成されているプロセッサとを具備するワイヤレス通信装置。
【請求項１３】
前記制御インジケータグループは、物理ハイブリッド自動再送要求インジケータチャネル（ＰＨＩＣＨ）グループである請求項１２記載のワイヤレス通信装置。
【請求項１４】
前記プロセッサは、奇数でインデックスが付けられた制御インジケータグループを、前記第１の制御インジケータグループの組にグループ化し、偶数でインデックスが付けられた制御インジケータグループを、前記第２の制御インジケータグループの組にグループ化するようにさらに構成されている請求項１２記載のワイヤレス通信装置。
【請求項１５】
前記複数の制御インジケータグループは、４つの制御インジケータグループを含む請求項１２記載のワイヤレス通信装置。
【請求項１６】
前記メモリは、前記ワイヤレス通信装置により利用される拡張されたサイクリックプリフィックス（ＣＰ）構造に関連するデータをさらに記憶する請求項１２記載のワイヤレス通信装置。
【請求項１７】
前記プロセッサは、前記第１の制御インジケータグループの組中のそれぞれの制御インジケータグループに対する第１の組のコード位置と、前記第２の制御インジケータグループの組中のそれぞれの制御インジケータグループに対する、オーバーラップしていない第２の組のコード位置とにおいて、前記第１の拡散コードに対してゼロを追加することを少なくとも部分的に行うことにより、前記第１の拡散コードを前記第２の拡散コードに拡張するようにさらに構成されている請求項１６記載のワイヤレス通信装置。
【請求項１８】
前記通信リソースは、リソースエレメントグループ（ＲＥＧ）を備え、前記ＲＥＧは、４つのリソースエレメントを含む請求項１２記載のワイヤレス通信装置。
【請求項１９】
前記プロセッサは、前記ＲＥＧ中の第１および第２のリソースエレメントに、前記第１の制御インジケータグループの組をマッピングし、前記ＲＥＧ中の第３および第４のリソースエレメントに、前記第２の制御インジケータグループの組をマッピングするようにさらに構成されており、前記ＲＥＧ中の第１および第２のリソースエレメントは、前記ＲＥＧ中の第３および第４のリソースエレメントとそれぞれ異なる請求項１８記載のワイヤレス通信装置。
【請求項２０】
前記プロセッサは、前記制御インジケータグループがそれぞれマッピングされている前記通信リソースを使用して、前記制御インジケータグループの送信を指示するようにさらに構成されている請求項１２記載のワイヤレス通信装置。
【請求項２１】
前記プロセッサは、１つ以上の送信アンテナを使用して、前記制御インジケータグループを送信するようにさらに構成されている請求項２０記載のワイヤレス通信装置。
【請求項２２】
ワイヤレス通信システム中で制御リソース管理を容易にする装置において、
前記装置は、
複数のインジケータグループのうちの、偶数でインデックスが付けられた各インジケータグループから、偶数のスーパーグループと、前記複数のインジケータグループのうちの、奇数でインデックスが付けられた各インジケータグループから、奇数のスーパーグループとを形成し、前記偶数のスーパーグループは、偶数でインデックスが付けられた複数の異なるインジケータグループを有し、前記奇数のスーパーグループは、奇数でインデックスが付けられた複数の異なるインジケータグループを有する手段と、
前記スーパーグループを、リソースエレメントの、オーバーラップしていない、それぞれの組に関係付ける手段と、
前記スーパーグループがそれぞれ関係付けられているリソースエレメントの組を使用して、前記スーパーグループを送信する手段とを具備する装置。
【請求項２３】
前記インジケータグループは、それぞれ、１つ以上の物理ハイブリッド自動再送要求インジケータチャネル（ＰＨＩＣＨ）を備える請求項２２記載の装置。
【請求項２４】
前記関係付ける手段は、
第１のシンボルシーケンスを使用して、前記偶数のスーパーグループ中の、それぞれのインジケータグループを、第１の組のリソースエレメントにマッピングする手段と、
第２のシンボルシーケンスを使用して、前記奇数のスーパーグループ中の、それぞれのインジケータグループを、第２の組のリソースエレメントにマッピングする手段とを備える請求項２２記載の装置。
【請求項２５】
前記インジケータグループがそれぞれ関係付けられている前記リソースエレメントを使用して、前記インジケータグループを送信する手段をさらに具備する請求項２２記載の装置。
【請求項２６】
コンピュータ読取り可能記憶媒体において、
１組の、偶数でインデックスが付けられた物理ハイブリッド自動再送要求インジケータチャネル（ＰＨＩＣＨ）グループと、１組の、奇数でインデックスが付けられたＰＨＩＣＨグループとを形成し、前記１組の、偶数でインデックスが付けられたＰＨＩＣＨグループは、偶数でインデックスが付けられた、複数の異なるＰＨＩＣＨグループを有し、前記１組の、奇数でインデックスが付けられたＰＨＩＣＨグループは、奇数でインデックスが付けられた、複数の異なるＰＨＩＣＨグループを有するためのコードと、
前記１組の、偶数でインデックスが付けられたＰＨＩＣＨグループを、第１の１組のリソースエレメントにマッピングするためのコードと、
前記１組の、奇数でインデックスが付けられたＰＨＩＣＨグループを、第２のオーバーラップしていない、１組のリソースエレメントにマッピングするためのコードとを含むコンピュータ読取り可能記憶媒体。
【請求項２７】
前記１組の、偶数でインデックスが付けられたＰＨＩＣＨグループをマッピングするためのコードは、第１のシンボルシーケンスを使用して、前記１組の、偶数でインデックスが付けられたＰＨＩＣＨグループをマッピングするためのコードを含み、前記１組の、奇数でインデックスが付けられたＰＨＩＣＨグループをマッピングするためのコードは、第２のシンボルシーケンスを使用して、前記１組の、奇数でインデックスが付けられたＰＨＩＣＨグループをマッピングするためのコードを含む請求項２６記載のコンピュータ読取り可能記憶媒体。
【請求項２８】
前記ＰＨＩＣＨグループがそれぞれマッピングされている前記リソースエレメントを使用して、前記ＰＨＩＣＨグループを送信するためのコードをさらに備える請求項２６記載のコンピュータ読取り可能記憶媒体。
【請求項２９】
拡張されたサイクリックプリフィックスを利用するワイヤレス通信システム中で使用される方法において、
前記方法は、
１組の物理ハイブリッド自動再送要求インジケータチャネル（ＰＨＩＣＨ）スーパーグループを識別し、それぞれのＰＨＩＣＨスーパーグループは、複数の異なるＰＨＩＣＨグループを有し、各ＰＨＩＣＨグループは、ＰＨＩＣＨグループ番号に対応することと、
前記ＰＨＩＣＨグループの前記ＰＨＩＣＨグループ番号に基づいて、前記ＰＨＩＣＨグループのＰＨＩＣＨのシンボルを整列させることと、
前記それぞれのＰＨＩＣＨの整列されたシンボルに対して、レイヤマッピングとプリコーディングとを実行して、それぞれの利用可能なアンテナポートに対する信号を表す、ベクトルのブロックを取得することと、
それぞれのＰＨＩＣＨグループ中のＰＨＩＣＨに対応するシンボルシーケンスを加算して、前記ＰＨＩＣＨグループに対応する、結果として生じる、それぞれの加算されたシーケンスを取得することと、
前記それぞれのＰＨＩＣＨグループに対応する加算されたシーケンスを組み合わせることを少なくとも部分的に行うことにより、連続したＰＨＩＣＨグループ番号に対応する２つのＰＨＩＣＨスーパーグループのそれぞれの組を、共通のリソースマッピングユニットにマッピングすることとを含む方法。
【請求項３０】
制御送信に関係するリソースを識別する方法において、
識別されている１組の制御リソースにわたる、基地局からの送信を受信することと、
前記制御リソースの第１の部分集合と、制御リソースの、オーバーラップしていない第２の部分集合とを識別し、一群の、奇数でインデックスが付けられた、物理ハイブリッド自動再送要求インジケータチャネル（ＰＨＩＣＨ）の第１のスーパーグループは、前記制御リソースの第１の部分集合に対して多重化され、一群の、偶数でインデックスが付けられた、ＰＨＩＣＨの第２のスーパーグループは、前記制御リソースの第２の部分集合に対して多重化され、前記第１のスーパーグループは、奇数でインデックスが付けられた、ＰＨＩＣＨの複数の異なるグループを有し、前記第２のスーパーグループは、偶数でインデックスが付けられた、ＰＨＩＣＨの複数の異なるグループを有することと、
デコードすべき、前記送信内の制御チャネルを識別することと、
前記制御リソースの第１の部分集合または前記制御リソースの第２の部分集合から、前記デコードすべき制御チャネルに関係する制御リソースの部分集合を決定することと、
前記識別された、制御リソースの部分集合から、前記制御チャネルをデコードすることとを含む方法。
【請求項３１】
前記識別することは、デコードすべきＰＨＩＣＨを識別することを含む請求項３０記載の方法。
【請求項３２】
前記デコードすることは、前記制御チャネルに関係する直交シーケンスを決定することを含む請求項３１記載の方法。
【請求項３３】
前記識別することは、前記基地局から受信した情報に基づいて、デコードすべき少なくとも１つの制御チャネルを決定することを含む請求項３０記載の方法。
【請求項３４】
ワイヤレス通信装置において、
１組の通信リソースと、前記ワイヤレス通信装置に関係するインジケータチャネルと、前記１組の通信リソースを通して受信される送信と、に関連するデータを記憶するメモリと、
複数の、奇数でインデックスが付けられた、インジケータチャネルのグループを含む、第１の、インジケータチャネルのスーパーグループに関係する、前記通信リソースの第１の部分集合と、複数の、偶数でインデックスが付けられた、インジケータチャネルのグループを含む、第２の、インジケータチャネルのスーパーグループに関係する、前記通信リソースの、オーバーラップしていない第２の部分集合とを識別し、前記ワイヤレス通信装置に関係するインジケータチャネルに関係する、インジケータチャネルのスーパーグループを識別し、前記識別された、前記通信リソースの部分集合からの送信から、前記ワイヤレス通信装置に関係するインジケータチャネルをデコードするように構成されているプロセッサとを具備し、
インジケータチャネルの各スーパーグループは、インジケータチャネルの異なるグループを有するワイヤレス通信装置。
【請求項３５】
前記ワイヤレス通信装置に関係するインジケータチャネルは、物理ハイブリッド自動再送要求インジケータチャネル（ＰＨＩＣＨ）である請求項３４記載のワイヤレス通信装置。
【請求項３６】
前記プロセッサは、前記ワイヤレス通信装置に関係するインジケータチャネルに関係する直交シーケンスを決定し、前記決定された直交シーケンスに基づいて、前記インジケータチャネルをデコードするようにさらに構成されている請求項３４記載のワイヤレス通信装置。
【請求項３７】
制御送信をデコードすることを容易にする装置において、
前記装置は、
制御送信を受信する手段と、
前記制御送信に対応する、それぞれの、オーバーラップしていない、リソースの組を識別し、一群の、奇数でインデックスが付けられた、物理ハイブリッド自動再送要求インジケータチャネル（ＰＨＩＣＨ）の第１のスーパーグループは、前記制御送信に対応する第１の組のリソースに対して多重化され、前記第１のスーパーグループは、奇数でインデックスが付けられた、ＰＨＩＣＨの複数の異なるグループを有し、一群の、偶数でインデックスが付けられた、ＰＨＩＣＨの第２のスーパーグループは、前記制御送信に対応する第２の組のリソースに対して多重化され、前記第２のスーパーグループは、偶数でインデックスが付けられた、ＰＨＩＣＨの複数の異なるグループを有する手段と、
１つ以上のインジケータグループに対応する制御情報をデコードする手段とを具備し、
前記インジケータグループは、前記それぞれ識別された、リソースの組を使用して、前記制御送信内でエンコードされている装置。
【請求項３８】
前記制御情報は、１つ以上のＰＨＩＣＨを含む請求項３７記載の装置。
【請求項３９】
前記デコードする手段は、前記１つ以上のインジケータグループに関係するそれぞれの直交シーケンスを決定する手段を備える請求項３７記載の装置。
【請求項４０】
コンピュータ読取り可能記憶媒体において、
既知の１組の制御リソースを通して送信を受信するためのコードと、
第１の物理ハイブリッド自動再送要求インジケータチャネル（ＰＨＩＣＨ）スーパーグループに関係する、前記制御リソースの第１の部分を識別するためのコードであって、前記第１のＰＨＩＣＨスーパーグループは、複数の、奇数でインデックスが付けられた、ＰＨＩＣＨのグループを含むコードと、
第２のＰＨＩＣＨスーパーグループに関係する、前記制御リソースの第２の部分を識別するためのコードであって、前記第１の部分と前記第２の部分は、実質的にオーバーラップしておらず、前記第２のＰＨＩＣＨスーパーグループは、複数の、偶数でインデックスが付けられた、ＰＨＩＣＨのグループを含むコードと、
前記第１のＰＨＩＣＨスーパーグループと、前記第２のＰＨＩＣＨスーパーグループとのうちの少なくとも１つから、デコードすべき１つ以上のＰＨＩＣＨを決定するためのコードと、
前記決定されたＰＨＩＣＨが含まれているＰＨＩＣＨスーパーグループに関係する、前記制御リソースのそれぞれの部分を使用して、前記１つ以上の決定されたＰＨＩＣＨをデコードするためのコードとを含み、
各ＰＨＩＣＨスーパーグループは、ＰＨＩＣＨの異なるグループを有するコンピュータ読取り可能記憶媒体。
【請求項４１】
前記デコードするためのコードは、前記１つ以上の決定されたＰＨＩＣＨに関係するそれぞれの直交シーケンスを決定するためのコードを含む請求項４０記載のコンピュータ読取り可能記憶媒体。
【請求項４２】
物理ハイブリッド自動再送要求インジケータチャネル（ＰＨＩＣＨ）情報を識別してデコードする方法を実行するためのコンピュータ実行可能命令を実行する集積回路において、
前記方法は、
デコードすべき１つ以上のＰＨＩＣＨと、前記１つ以上のＰＨＩＣＨが含まれている、それぞれのＰＨＩＣＨグループとを識別することと、
リソースエレメントグループ（ＲＥＧ）の割当てを識別し、前記ＲＥＧの割当ては、一群の、奇数でインデックスが付けられたＰＨＩＣＨグループに関係する、第１のＲＥＧ部分と、一群の、偶数でインデックスが付けられたＰＨＩＣＨグループに関係する、第２のＲＥＧ部分とを含み、前記一群の、前記奇数でインデックスが付けられたＰＨＩＣＨグループは、奇数でインデックスが付けられた、複数の異なるＰＨＩＣＨグループを有し、前記一群の、偶数でインデックスが付けられたＰＨＩＣＨグループは、偶数でインデックスが付けられた、複数の異なるＰＨＩＣＨグループを有することと、
１つ以上のＲＥＧを含む１組のリソースを使用して、制御送信を受信することと、
前記第１のＲＥＧ部分中のリソースから、奇数でインデックスが付けられたＰＨＩＣＨグループ内に含まれる、識別されたＰＨＩＣＨをデコードすること、前記第２のＲＥＧ部分中のリソースから、偶数でインデックスが付けられたＰＨＩＣＨグループ内に含まれる、識別されたＰＨＩＣＨをデコードすること、のうちの少なくとも１つ、または、これらの組み合わせを実行することとを含む集積回路。
【請求項４３】
前記それぞれのＰＨＩＣＨのシンボルは、ｄ（０），．．．，ｄ（Ｍsymb−１）を含み、前記ＰＨＩＣＨグループの前記グループ番号に基づいて、前記ＰＨＩＣＨグループのＰＨＩＣＨのシンボルを整列させることは、
【数１】
0005518832.tif 000019
にしたがって、前記シンボルを整列させることを含み、
ここでＭsymbは、それぞれのＰＨＩＣＨに対するシンボルの数を含み、
【数２】
0005518832.tif 000020
は、前記ＰＨＩＣＨグループのグループ番号に対応する請求項２９記載の方法。
【発明の詳細な説明】
【相互参照】
【０００１】
本出願は、２００８年３月２４日に出願され、“ＬＴＥにおける送信ダイバーシティのスキームのための方法および装置”と題する、米国仮出願シリアル番号第６１／０３８，８７５号の利益を主張し、その全体は、参照によりここに組み込まれている。
【分野】
【０００２】
本開示は一般に、ワイヤレス通信に関し、より詳細には、ワイヤレス通信システムにおけるリソース管理のための技術に関する。
【背景】
【０００３】
ワイヤレス通信システムは、例えば、音声や、ビデオや、パケットデータや、ブロードキャストなどのような、さまざまな通信サービスを提供するために広く展開されおり、メッセージングサービスは、そのようなワイヤレス通信システムを通して提供できる。これらのシステムは、利用可能なシステムリソースを共有することにより、複数の端末に対する通信をサポートできる多元接続システムとすることができる。このような多元接続システムの例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムを含む。
【０００４】
一般に、ワイヤレス多元接続通信システムは、複数のワイヤレス端末に対する通信を同時にサポートできる。そのようなシステムにおいて、各端末は、フォワードリンクおよびリバースリンク上での送信により、１つ以上の基地局と通信できる。フォワードリンク（すなわちダウンリンク）は、基地局から端末への通信リンクを指し、リバースリンク（すなわちアップリンク）は、端末から基地局への通信リンクを指す。この通信リンクは、単一入力単一出力（ＳＩＳＯ）システム、複数入力単一出力（ＭＩＳＯ）システム、または、複数入力複数出力（ＭＩＭＯ）システムにより確立できる。
【０００５】
行うべき送信に対応する一連の変調シンボルを、それぞれのレイヤにマッピングし、それぞれのレイヤにマッピングされたストリームをプリコード化し、プリコーディング出力を、利用可能なリソースエレメントの１つ以上のグループにマッピングすることにより、制御送信が、さまざまなワイヤレス通信システムの構成において準備される。しかしながら、物理ハイブリッド自動再送要求（ＨＡＲＱ）インジケータチャネル（ＰＨＩＣＨ）のような、いくつかの制御チャネルに対して、従来のレイヤマッピング、プリコーディング、および／またはリソースマッピング技術のアプリケーションは、利用されずにとどまっている、利用可能なシステムの一部を結果として生じる。したがって、利用可能なシステムリソースの、より完全かつ効率的な使用を可能にする、ワイヤレス通信システムに対するリソース管理技術を実現することが望まれる。
【概要】
【０００６】
請求される主題事項のさまざまな観点の基本的な理解を提供するために、以下の記述は、そのような観点の簡略化した概要を与える。この概要は、考えられるすべての観点の広範な概観ではなく、そのような観点の主なまたは重要な要素を識別するようにも、詳細に描写するようにも向けられていない。その唯一の目的は、後に与えられるより詳細な説明に対するプレリュードとして、簡略化した形態で、開示した観点のいくつかの概念を与えることである。
【０００７】
１つの観点にしたがって、ワイヤレス通信システム中で制御リソースを管理する方法をここで記述する。方法は、１組の制御チャネルグループと、対応する１組の制御リソースとを識別することと、予め定められている整数Ｎの、Ｎ個のスーパーグループに、１組の制御チャネルグループをグループ化することと、１組の制御リソースを、Ｎ個のオーバーラップしていない部分集合に分割することと、スーパーグループを、制御リソースのそれぞれの部分集合にマッピングし、それにより、それぞれのスーパーグループ中の制御チャネルグループが、制御リソースのそれぞれ対応する部分集合に対して多重化されることとを含むことができる。
【０００８】
別の観点は、ワイヤレス通信装置に関し、ワイヤレス通信装置は、複数の制御インジケータグループと、１組の通信リソースとに関連するデータを記憶するメモリを備えることができる。ワイヤレス通信装置は、それぞれの制御インジケータグループを、第１の制御インジケータグループの組と第２の制御インジケータグループの組とにグループ化し、１組の通信リソースを、第１と第２とのオーバーラップしていない部分に分割し、第１の制御インジケータグループの組を、通信リソースの第１の部分にマッピングし、第２の制御インジケータグループの組を、通信リソースの第２の部分にマッピングするように構成されているプロセッサをさらに備えることができる。
【０００９】
第３の観点は、ワイヤレス通信システム中で制御リソース管理を容易にする装置に関する。装置は、複数のインジケータグループから、それぞれのスーパーグループを形成する手段と、スーパーグループを、リソースエレメントの、オーバーラップしていない、それぞれの組に関係付ける手段と、スーパーグループがそれぞれ関係付けられているリソースエレメントの組を使用して、スーパーグループを送信する手段とを備えることができる。
【００１０】
第４の観点は、コンピュータプログラムプロダクトに関する。コンピュータプログラムプロダクトは、１組の、偶数でインデックスが付けられた物理ハイブリッド自動再送要求インジケータチャネル（ＰＨＩＣＨ）グループと、１組の、奇数でインデックスが付けられたＰＨＩＣＨグループとを形成するためのコードと、１組の、偶数でインデックスが付けられたＰＨＩＣＨグループを、第１の１組のリソースエレメントにマッピングするためのコードと、１組の、奇数でインデックスが付けられたＰＨＩＣＨグループを、第２のオーバーラップしていない、１組のリソースエレメントにマッピングするためのコードとを含むコンピュータ読取り可能媒体を備えることができる。
【００１１】
第５の観点は、ワイヤレス通信システム中で使用される方法に関する。方法は、１組のＰＨＩＣＨグループを識別することと、１組のＰＨＩＣＨグループを１組のシンボルにマッピングし、偶数のＰＨＩＣＨグループには、第１の組のシンボル位置において、ゼロでない値と、第２の組のシンボル位置において、ゼロの値とが割り当てられ、奇数のＰＨＩＣＨグループには、第１の組のシンボル位置において、ゼロの値と、第２の組のシンボル位置において、ゼロでない値とが割り当てられることと、１組のシンボルに対して、レイヤマッピングとプリコーディングとを実行して、それぞれの利用可能なアンテナポートに対する信号を表す、ベクトルのブロックを取得することと、それぞれのＰＨＩＣＨグループ中のＰＨＩＣＨに対応するシンボルシーケンスを加算して、ＰＨＩＣＨグループに対応する、結果として生じる、それぞれの加算されたシーケンスを取得することと、それぞれのＰＨＩＣＨグループに対応する加算されたシーケンスを組み合わせることを少なくとも部分的に行うことにより、２つの隣接ＰＨＩＣＨグループのそれぞれの組を、共通のリソースマッピングユニットにマッピングすることとを含むことができる。
【００１２】
別の観点にしたがって、制御送信に関係するリソースを識別する方法をここで記述する。方法は、識別されている１組の制御リソースにわたる、基地局からの送信を受信することと、制御リソースの第１の部分集合と、制御リソースの、オーバーラップしていない第２の部分集合とを識別することと、デコードすべき、送信内の制御チャネルを識別することと、制御リソースの第１の部分集合または前記制御リソースの第２の部分集合から、デコードすべき制御チャネルに関係する制御リソースの部分集合を決定することと、識別された、制御リソースの部分集合から、制御チャネルをデコードすることとを含むことができる。
【００１３】
ここで記述するさらに別の観点は、ワイヤレス通信装置に関し、ワイヤレス通信装置は、１組の通信リソースと、ワイヤレス通信装置に関係するインジケータチャネルと、１組の通信リソースを通して受信される送信と、に関連するデータを記憶するメモリを備えることができる。ワイヤレス通信装置は、第１の、インジケータチャネルのスーパーグループに関係する、通信リソースの第１の部分集合と、第２の、インジケータチャネルのスーパーグループに関係する、通信リソースの、オーバーラップしていない第２の部分集合とを識別し、ワイヤレス通信装置に関係するインジケータチャネルに関係するインジケータチャネルのスーパーグループを識別し、識別された、通信リソースの部分集合からの送信から、ワイヤレス通信装置に関係するインジケータチャネルをデコードするように構成されているプロセッサをさらに備えることができる。
【００１４】
さらなる別の観点は、制御送信のデコードを容易にする装置に関する。装置は、制御送信を受信する手段と、制御送信に対応する、それぞれの、オーバーラップしていない、リソースの組を識別する手段と、１つ以上のインジケータグループに対応する制御情報をデコードする手段とを備えることができ、インジケータグループは、それぞれ識別された、リソースの組を使用して、制御送信内でエンコードされている。
【００１５】
さらなる観点は、コンピュータプログラムプロダクトに関する。コンピュータプログラムプロダクトは、既知の１組の制御リソースを通して送信を受信するためのコードと、第１のＰＨＩＣＨスーパーグループに関係する、制御リソースの第１の部分を識別するためのコードと、第２のＰＨＩＣＨスーパーグループに関係する、前記制御リソースの第１の部分を識別するためのコードであって、第１の部分と第２の部分は、実質的にオーバーラップしていないコードと、第１のＰＨＩＣＨスーパーグループと、第２のＰＨＩＣＨスーパーグループとのうちの少なくとも１つから、デコードすべき１つ以上のＰＨＩＣＨを決定するためのコードと、決定されたＰＨＩＣＨが含まれているＰＨＩＣＨスーパーグループに関係する、制御リソースのそれぞれの部分を使用して、１つ以上の決定されたＰＨＩＣＨをデコードするためのコードとを含むコンピュータ読取り可能媒体を備えることができる。
【００１６】
ここで記述する追加の観点は、ＰＨＩＣＨ情報を識別してデコードするためのコンピュータ実行可能命令を実行する集積回路に関する。命令は、デコードすべき１つ以上のＰＨＩＣＨと、１つ以上のＰＨＩＣＨが含まれている、それぞれのＰＨＩＣＨグループとを識別することと、リソースエレメントグループ（ＲＥＧ）の割当てを識別し、ＲＥＧの割当ては、奇数でインデックスが付けられたＰＨＩＣＨグループに関係する、第１のＲＥＧ部分と、偶数でインデックスが付けられたＰＨＩＣＨグループに関係する、第２のＲＥＧ部分とを含むことと、１つ以上のＲＥＧを含む１組のリソースを使用して、制御送信を受信することと、第１のＲＥＧ部分中のリソースから、奇数でインデックスが付けられたＰＨＩＣＨグループ内に含まれる、識別されたＰＨＩＣＨをデコードすること、または、第２のＲＥＧ部分中のリソースから、偶数でインデックスが付けられたＰＨＩＣＨグループ内に含まれる、識別されたＰＨＩＣＨをデコードすること、のうちの少なくとも１つを実行することとを含むことができる。
【００１７】
先のおよび関連する目的を達成するために、請求される主題事項の１つ以上の観点は、以下で十分に記述し、特に特許請求の範囲において示す特徴を備えている。以下の記述および添付図面は、請求される主題事項のいくつかの実例となる観点を詳細に示す。これらの観点は、請求される主題事項の原理を用いてもよいさまざまな方法のうちのほんのいくつかを表すにすぎない。さらに、開示した観点は、このようなすべての観点およびそれらの均等物を含むように向けられている。
【図面の簡単な説明】
【００１８】
【図１】図１は、さまざまな観点にしたがった、ワイヤレス通信システム内で制御送信を行うシステムのブロック図である。
【図２】図２は、さまざまな観点にしたがった、制御送信を行うシステムのブロック図である。
【図３】図３は、制御送信に対して利用できる、例示的なレイヤマッピング技術とプリコーディング技術とを図示する。
【図４】図４は、制御送信に対して利用できる、例示的なレイヤマッピング技術とプリコーディング技術とを図示する。
【図５】図５は、さまざまな観点にしたがった、制御送信に対して利用できる、例示的なレイヤマッピング技術とプリコーディング技術とを図示する。
【図６】図６は、さまざまな観点にしたがった、制御送信に対して利用できる、例示的なレイヤマッピング技術とプリコーディング技術とを図示する。
【図７】図７は、ＰＨＩＣＨに関係するリソースを管理する方法のフロー図である。
【図８】図８は、ＰＨＩＣＨに関係するリソースを管理する方法のフロー図である。
【図９】図９は、ＰＨＩＣＨに関係するリソースを管理する方法のフロー図である。
【図１０】図１０は、ＰＨＩＣＨ送信に対して、リソースグループの整列とリソースエレメントのマッピングとを実行する方法のフロー図である。
【図１１】図１１は、受信した制御送信のエレメントを識別してデコードする方法のフロー図である。
【図１２】図１２は、制御送信に関係するリソースの管理を容易にする装置のブロック図である。
【図１３】図１３は、制御送信に関係するリソースの管理を容易にする装置のブロック図である。
【図１４】図１４は、ここで記述する機能のさまざまな観点を実現するのに利用できるワイヤレス通信デバイスのブロック図である。
【図１５】図１５は、ここで記述する機能性のさまざまな観点を実現するのに利用できるワイヤレス通信デバイスのブロック図である。
【図１６】図１６は、ここで示すさまざまな観点にしたがった、ワイヤレス多元接続通信システムを図示する。
【図１７】図１７は、ここで記述するさまざまな観点が機能できる、例示的なワイヤレス通信システムを図示するブロック図である。
【詳細な説明】
【００１９】
図面に対する参照とともに、請求される主題事項のさまざまな観点をこれから記述し、同じ参照番号は、全体を通して同じ要素に言及するために使用される。以下の記述において、説明のため、１つ以上の観点の完全な理解を提供するために、多数の特定の詳細な説明を述べる。しかしながら、これらの特定の詳細な説明なしに、そのような観点を実施できることは明白であるかもしれない。他の例において、１つ以上の観点を記述することを容易にするために、よく知られている構造およびデバイスをブロック図の形態で示す。
【００２０】
本出願中で使用されるような、用語“コンポーネント”、“モジュール”、“システム”、およびこれらに類似するものは、コンピュータ関連エンティティ、ハードウェア、ファームウェア、ハードウェアおよびソフトウェアの組み合わせ、ソフトウェア、または、実行中のソフトウェアを指すように向けられている。例えば、コンポーネントはプロセッサ上で実行するプロセス、集積回路、オブジェクト、実行ファイル、実行のスレッド、プログラム、および／またはコンピュータとすることができるが、それだけに限られない。実例として、計算デバイス上で実行するアプリケーションおよび計算デバイスの両方をコンポーネントとすることができる。１つ以上のコンポーネントが１つのプロセスおよび／または実行のスレッド内に存在してもよく、コンポーネントが１つのコンピュータ上にローカライズされてもよく、および／または２つ以上のコンピュータ間に分散されてもよい。また、これらのコンポーネントは、記憶されたさまざまなデータ構造を有するさまざまなコンピュータ読取り可能媒体から実行することができる。コンポーネントは、（例えば、ローカルシステム中で、分散システム中で、および／または、信号による他のシステムとの、インターネットのようなネットワークによって、別のコンポーネントと対話する１つのコンポーネントからのデータのような）１つ以上のデータパケットを有する信号にしたがうようなローカルおよび／またはリモートプロセスによって通信できる。
【００２１】
さらに、ワイヤレス端末および／または基地局と関連して、さまざまな観点をここで記述する。ワイヤレス端末は、音声および／またはデータの接続性をユーザに提供するデバイスを意味し得る。ワイヤレス端末は、ラップトップコンピュータまたはデスクトップコンピュータのような計算デバイスに接続でき、または、ワイヤレス端末は、パーソナルデジタルアシスタント（ＰＤＡ）のような自立型のデバイスとすることができる。ワイヤレス端末は、システム、加入者ユニット、加入者局、移動局、移動体、リモート局、アクセスポイント、リモート端末、アクセス端末、ユーザ端末、ユーザエージェント、ユーザデバイス、またはユーザ機器（ＵＥ）と呼ばれることもある。ワイヤレス端末は、加入者局、ワイヤレスデバイス、セルラ電話機、ＰＣＳ電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続機能を有するハンドヘルドデバイス、またはワイヤレスモデムに接続される他の処理デバイスとすることができる。基地局（例えば、アクセスポイントまたはノードＢ）は、１つ以上のセクタを通して、エアインターフェースにより、ワイヤレス端末と通信する、アクセスネットワーク中のデバイスを意味し得る。受信したエアインターフェースフレームをＩＰパケットに変換することにより、基地局は、ワイヤレス端末と、インターネットプロトコル（ＩＰ）ネットワークを含むことができるアクセスネットワークの残りとの間のルータとして機能することができる。基地局はまた、エアインターフェースに対する属性の管理を調整する。
【００２２】
さらに、ここで記述するさまざまな機能は、ハードウェア、ソフトウェア、ファームウェア、またはこれらの任意の組み合わせ中で実現できる。ソフトウェアにおいて実現する場合、コンピュータ読取り可能媒体上に、１つ以上の命令またはコードとして、機能を記憶させてもよく、または機能を送信してもよい。コンピュータ読取り可能媒体は、コンピュータ記憶媒体と、ある場所から別の場所へコンピュータプログラムの転送を容易にする何らかの媒体を含む通信媒体との両方を含む。記憶媒体は、コンピュータによりアクセスできる任意の利用可能な媒体とすることができる。一例として、限定ではないが、そのようなコンピュータ読み取り可能媒体は，ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、命令またはデータ構造の形態で所望のプログラムコード手段を搬送または記憶するために使用でき、そして、コンピュータによりアクセスできる他の任意の媒体を備えることができる。さらに、いくつかの接続は、適切にコンピュータ読取り可能媒体と呼ばれる。例えば、ソフトウェアが、同軸ケーブル、光ファイバケーブル、ツイストペア線、デジタル加入者線（ＤＳＬ）、または、赤外線、無線、およびマイクロ波のようなワイヤレス技術を使用して、ウェブサイト、サーバまたは他のリモート情報源から送信される場合、同軸ケーブル、光ファイバケーブル、ツイストペア線、ＤＳＬ、または、赤外線、無線、およびマイクロ波のようなワイヤレス技術は、媒体の定義に含まれる。ここで使用されるディスク（Ｄｉｓｋおよびｄｉｓｃ）は、コンパクトディスク（ＣＤ）、レーザーディスク（登録商標）、光ディスク、デジタルバーサタイルディスク（ＤＶＤ）、フロッピー（登録商標）ディスク、およびブルーレイディスクを含み、ディスク（ｄｉｓｋ）は通常、磁気的にデータを再生し、一方、ディスク（ｄｉｓｃ）は、レーザにより光学的にデータを再生する。上述の組み合わせもまた、コンピュータ読取り可能媒体の範囲内に含まれるべきである。
【００２３】
ここで記述するさまざまな技術は、コード分割多元接続（ＣＤＭＡ）システムや、時分割多元接続（ＴＤＭＡ）システムや、周波数分割多元接続（ＦＤＭＡ）システムや、直交周波数分割多元接続（ＯＦＤＭＡ）システムや、単一搬送波ＦＤＭＡ（ＳＣ−ＦＤＭＡ）システムや、他のそのようなシステムのような、さまざまなワイヤレス通信システムに対して使用できる。用語“システム”および“ネットワーク”は、ここでは、区別なく使用されることが多い。ＣＤＭＡシステムは、ユニバーサル地上無線アクセス（ＵＴＲＡ）、ＣＤＭＡ２０００などのような無線技術を実現できる。ＵＴＲＡは、広帯域ＣＤＭＡ（ＷＣＤＭＡ）と、ＣＤＭＡの他の変形体とを含む。さらに、ＣＤＭＡ２０００は、ＩＳ−２０００、ＩＳ−９５およびＩＳ−８５６の標準規格をカバーする。ＴＤＭＡシステムは、移動体通信用グローバルシステム（ＧＳＭ（登録商標））のような無線技術を実現できる。ＯＦＤＭＡシステムは、進化型ＵＴＲＡ（Ｅ−ＵＴＲＡ）や、ウルトラモバイルブロードバンド（ＵＭＢ）や、ＩＥＥＥ８０２．１１（Ｗｉ−Ｆｉ）や、ＩＥＥＥ８０２．１６（ＷｉＭＡＸ）や、ＩＥＥＥ８０２．２０や、フラッシュ−ＯＦＤＭ（登録商標）などのような無線技術を実現できる。ＵＴＲＡおよびＥ−ＵＴＲＡは、ユニバーサル移動体電気通信システム（ＵＭＴＳ）の一部である。３ＧＰＰロングタームエボリューション（ＬＴＥ）は、Ｅ−ＵＴＲＡを使用するＵＭＴＳの、これから出てくるリリースであり、ダウンリンク上でＯＦＤＭＡを用い、アップリンク上でＳＣ−ＦＤＭＡを用いる。ＵＴＲＡ、Ｅ−ＵＴＲＡ、ＵＭＴＳ、ＬＴＥおよびＧＳＭは、“第３世代パートナーシップ・プロジェクト”（３ＧＰＰ）と名付けられた組織からの文書で説明されている。さらに、ＣＤＭＡ２０００およびＵＭＢは、“第３世代パートナーシップ・プロジェクト２”（３ＧＰＰ２）と名付けられた組織からの文書で説明されている。
【００２４】
多数のデバイス、コンポーネント、モジュールおよびこれらに類似するものを含むことができるシステムに関して、さまざまな観点を与えるだろう。さまざまなシステムは、追加のデバイス、コンポーネント、モジュールなどを含むことができ、および／または、図に関連して説明する、デバイス、コンポーネント、モジュールなどのすべてを含んでいなくてもよいことを、理解および認識すべきである。これらのアプローチの組み合わせを使用してもよい。
【００２５】
これから図面を参照すると、図１は、ここで記述するさまざまな観点にしたがって、ワイヤレス通信システム内で制御送信を行うことを図示する。図１が図示するように、システム１００は、基地局１１０と端末１３０とを含むことができ、基地局１１０および端末１３０は、それぞれのアンテナ１２０および１３２により、互いに通信できる。１つの基地局１１０と、１つの端末１３０だけが、システム１００中で図示されているが、システム１００は、任意の数の基地局１１０および／または端末１３０を含むことができることを理解すべきである。１つの例において、基地局１１０は、ダウンリンク（ＤＬ、ここでは、フォワードリンク（ＦＬ）とも呼ばれる）上で、端末１３０に対して、データ、制御シグナリング、および／または他の適切な情報を送信できる。さらに、または代わりに、端末１３０は、１つ以上のアップリンク（ＵＬ、ここでは、リバースリンク（ＲＬ）とも呼ばれる）送信を、基地局１１０に対して行うことができる。
【００２６】
１つの観点にしたがって、基地局１１０は、データ源１１２から、端末１３０に対してＤＬ通信中で送信すべき情報を発生させるか、および／または、さもなければ、取得できる。そのような情報は、例えば、アプリケーションデータ、制御シグナリング、または、これらに類似するものを含むことができる。アプリケーションデータは、音声アプリケーション、ビデオアプリケーション、パケットデータアプリケーション、および／または他の任意の適切なタイプのアプリケーションのような、任意の適切なアプリケーションに関連することができる。制御シグナリングは、端末１３０および／または他のネットワークエンティティの動作を調整するために利用でき、例えば、電力制御情報、リソース割当て情報、肯定応答／否定応答（ＡＣＫ／ＮＡＣＫ）情報、および／または他の任意の適切な情報を含むことができる。
【００２７】
１つの例において、データ源１１２に関係する情報に基づいて、信号形成モジュール１１４を使用して、情報の送信のために信号を構成できる。信号形成モジュール１１４は、例えば、スクランブリング、変調、プリコーディング、および／または、１つ以上の他の適切な動作を実行して、送信のために設計される情報に対応する信号を発生させることができる。その後、信号が発生すると、リソースマッパー１１６を利用して、発生した信号を、基地局１１０により利用される通信リソースにマッピングできる。信号形成モジュール１１４および／またはリソースマッパー１１６により利用できる、特定の、限定でない技術の例を、以下でより詳細に説明する。
【００２８】
別の例において、信号が、信号形成モジュール１１４により発生され、リソースマッパー１１６により適切なリソースにマッピングされた後、信号を送信機１１８に提供して、アンテナ１２０により信号の送信を容易にできる。１つの観点にしたがうと、いったん信号が送信されると、信号は、端末１３０において、アンテナ１３２を通して、受信機１３４により受信できる。端末１３０における受信信号は次に、データ再構成モジュール１３６により処理でき、データ再構成モジュール１３６は、逆リソースマッピング、復調、デコーディング、および／または１つ以上の他の適切な動作を実行して、信号に関係付けられている送信情報を取得できる。１つの例において、データ再構成モジュール１３６により取得される情報は、その後、記憶および／または、さらなる処理のためにデータシンク１３８に提供できる。
【００２９】
１つの観点にしたがうと、基地局１１０は、プロセッサ１２２および／またはメモリ１２４を利用して、基地局１１０および／または、そのサブコンポーネントの、上述した機能のいくつかまたはすべてを実現できる。さらに、および／または代わりに、端末１３０は、プロセッサ１４２および／またはメモリ１４４を利用して、端末１３０の上述した機能のいくつかまたはすべてを実現できる。さらに、先の記述は、基地局１１０から端末１３０への通信に関するが、端末１３０から基地局１１０への通信に対して、同様のコンポーネントおよび／または技術をシステム１００内で利用できることを理解すべきである。
【００３０】
別の観点にしたがうと、基地局１１０から端末１３０への送信に対する信号の構成は、図２中のシステム２００により示されるように（例えば、信号形成モジュール１１４により）実行できる。１つの例において、送信すべき情報は、エンコーダ／変調器２１０により最初に処理でき、エンコーダ／変調器２１０は、それぞれの情報ビットに対するエンコーディング、それぞれのコード化ビットに対するスクランブリング、変調、および／または、他の適切な動作のような、動作を実行して、送信すべきコードワードに対応する、１組の変調シンボルｄ(0)（ｉ）を生成させることができる。システム２００は、単一のコードワードと、対応する単一の、変調シンボルの組ｄ(0)（ｉ）とを図示しているが、任意の数のコードワードおよび／または対応する変調シンボルの組を使用できることを理解すべきである。
【００３１】
次に、変調シンボルの組ｄ(0)（ｉ）は、レイヤマッピングブロック２２０に提供でき、レイヤマッピングブロック２２０は、連続する変調シンボルをｎ個の別々の送信レイヤ上に分配して、それぞれのレイヤに対応する出力ｘ(0)（ｉ）を発生させることができる。１つの例において、レイヤマッピング出力は、プリコーディングブロック２３０に提供され、プリコーディングブロック２３０は、空間−周波数エンコーディングおよび／または他の任意の適切な技術を実行して、ｎ本のそれぞれの送信アンテナに対応するプリコーディング出力ｙ(0)（ｉ）を発生させることができる。最終的に、リソースマッピングブロック２４０により、プリコーディング出力ｙ(0)（ｉ）を、ｎ本の送信アンテナに関係付けられているＲＥにマッピングできる。システム２００により図示されているように、リソースマッピングブロック２４０による処理に続いて、１組のｎ個の出力信号ｚ(0)（ｉ）を発生させることができ、１組のｎ個の出力信号ｚ(0)（ｉ）は、次に、対応するｎ本の送信アンテナにより（例えば、送信機１１８を介して）送信できる。
【００３２】
これから図１に戻ると、基地局１１０および端末１３０の間で送信できる制御情報は、物理ハイブリッドＡＲＱ（自動再送要求）インジケータチャネル（ＰＨＩＣＨ）を含むことができ、ＰＨＩＣＨを利用して、基地局１１０から端末１３０へのダウンリンク上でハイブリッドＡＲＱのＡＣＫ／ＮＡＣＫインジケータを搬送できる。１つの例において、複数のＰＨＩＣＨを共通のリソースエレメントグループ（ＲＥＧ）にマッピングして、ＰＨＩＣＨグループを形成できる。
【００３３】
ＰＨＩＣＨグループ内では、個々のＰＨＩＣＨは、それぞれの直交シーケンスの使用により、および／または、他の任意の適切な方法で、分離できる。したがって、コード分割多重化（ＣＤＭ）を利用して、共通のＲＥＧを通して複数のユーザに対応するＰＨＩＣＨを送信できる。例えば、通常のサイクリックプリフィックス（ＣＰ）のケースにおいて、４の拡散率を利用できる。これは、１つのビットに拡散コードを掛けて４つのシンボルを取得することにより、１つのビットの送信を可能にすることができ、４つのシンボルは、４つのエレメントのＲＥＧ中の、４つのそれぞれのＲＥにマッピングできる。したがって、同じ４つのＲＥに対して４の拡散率を有する直交コードを使用して、他のユーザが信号を変調することを可能にすることにより、４つのＲＥを有するＲＥＧを利用して、４のユーザに対応できることが理解できる。さらに、同相（Ｉ）ブランチおよび直交（Ｑ）ブランチの両方を使用することにより、４つのＲＥを有するＲＥＧ上で８のユーザに対応でき、または、代わりに、２ビットのＡＣＫ／ＮＡＣＫ情報を送信する４のユーザに対応できる。
【００３４】
上述の例は、図３中の図３０２ないし３０４により、４本の送信（Ｔｘ）アンテナを有するシステムに対して図示されている。１つの例において、ＰＨＩＣＨグループは、１２個のシンボルを含むことができ、３つのクァドループレット（quadruplet）を通して送信できる。したがって、図３０２および３０４が図示するように、ＰＨＩＣＨクァドループレット中のそれぞれのＰＨＩＣＨは、４本の送信アンテナにそれぞれ関係付けられている４つのレイヤにマッピングできる。その後、一度に２本のアンテナに対して２つの空間−周波数ブロックコード（ＳＦＢ）を使用して、ＰＨＩＣＨクァドループレットに対するプリコーディングおよびＲＥマッピングを達成できる。図３０２および３０４がさらに図示するように、４本のすべてのＴｘアンテナを使用するために、アンテナのマッピングは、時間とともに変化するように構成され得る。例えば、ＰＨＩＣＨクァドループレットの送信のために利用されるアンテナは、クァドループレットを含んでいるＰＨＩＣＨグループのインデックス、および／または、ＰＨＩＣＨグループ内のクァドループレットの位置、の関数として変化し得る。
【００３５】
代わりに、拡張されたＣＰのケースにおいて、図３中で図示したような、１組の４つのレイヤへのＰＨＩＣＨクァドループレットのマッピングが、実行可能でないような状況で、２の拡散率を利用してもよい。したがって、拡張ＣＰのケースにおいて、ＰＨＩＣＨは、図４中の図４０２および４０４により示されるように処理できる。より詳細には、図４０２ないし４０４が図示するように、偶数のＰＨＩＣＨグループに対応するＰＨＩＣＨは、レイヤ０および１にマッピングでき、奇数のＰＨＩＣＨグループに対応するＰＨＩＣＨは、レイヤ２および３にマッピングできる。その後、図３中の図３０２および３０４に関して上述したのと同様の方法で、プリコーディングおよびＲＥマッピングを実行できる。
【００３６】
したがって、図３ないし４から観測できるように、４本のＴｘアンテナのケースにおいて、ＰＨＩＣＨレイヤマッピングを調整して、送信リソースの完全な使用を補償できる。しかしながら、より少ない数のＴｘアンテナ（例えば、１または２本）が使用される場合、より少ない数のＴｘアンテナの使用が、より少ない数のレイヤの使用を要求するという事実に起因して、レイヤマッピング単独では、システムリソースの最も最適の使用を補償するのに十分でないことが理解できる。
【００３７】
例えば、拡張ＣＰが利用される、２本のＴｘアンテナを有するシステムのケースにおいて、ＰＨＩＣＨに対するレイヤマッピングは、次のように実行できる。
【数１】
0005518832.tif 000002
【００３８】
さらに、プリコーディングは次のように実行できる。
【数２】
0005518832.tif 000003
【００３９】
ここで、（・）*は、複素共役を表す。しかしながら、従来の技術からは、それぞれのＰＨＩＣＨグループに対応するシーケンスを、そのようなシステム中のリソースエレメントにどのようにマッピングするか不明であることが理解できる。特に、４の拡散率が利用される通常のＣＰのケースにおいては、４のユーザに対応するＰＨＩＣＨを、４つのＲＥのサイズのＲＥＧにマッピングすることを可能にする。しかしながら、拡張ＣＰのケースに対して、拡張ＣＰのケースに関係する、より小さい、チャネルのコヒーレントな帯域幅のために、チャネルがＲＥＧ中の４つのＲＥにわたって同じであることを仮定できない。したがって、拡張ＣＰのケースに対する拡散率は、４から２に変更され、ＣＤＭは、４つのエレメントのＲＥＧにわたって２のユーザに対して適用される。以下で記述するように、これは、使用されないままである、いくつかのリソースを結果として生じ得る。
【００４０】
従来のワイヤレス通信システムにおいて、それぞれのＰＨＩＣＨグループに対するシーケンス
【数３】
0005518832.tif 000004
【００４１】
は、以下の式により定義される。
【数４】
0005518832.tif 000005
【００４２】
ここで、加算は、ＰＨＩＣＨグループ中のすべてのＰＨＩＣＨに対して実行され、用語ｙi(p)（ｎ）は、ＰＨＩＣＨグループ中のｉ番目のＰＨＩＣＨに対応するシンボルシーケンスを表す。その後、リソースマッピングが次のように実行される。
【数５】
0005518832.tif 000006
【００４３】
ここで、ｚ(p)（ｉ）は、アンテナポートｐに対するｉ番目のシンボルクァドループレットを表す。
【００４４】
しかしながら、上述した従来のＰＨＩＣＨ処理技術を使用することにより、１つのＰＨＩＣＨグループの２回の繰返しが、ｉ＝０に対応する、同じ小規模の制御チャネルエレメント（ＣＣＥ）にあり、一方、ｉ＝１に対応する小規模ＣＣＥの位置の半分と、ｉ＝２に対応する小規模ＣＣＥは、利用されないであろう。
【００４５】
したがって、１つの観点にしたがうと、信号形成モジュール１１４は、ＰＨＩＣＨグループの組からＰＨＩＣＨスーパーグループを形成し、それぞれのＰＨＩＣＨスーパーグループを利用可能なＲＥＧの異なる部分にマッピングし、その結果、ＲＥＧのすべてのエレメントの使用を可能にすることによって、信号形成モジュール１１４は、拡張ＣＰのケースに対する、上述の欠点を克服できる。例えば、関連する２の拡散率を有する、拡張ＣＰ構造のケースにおいて、それぞれのＰＨＩＣＨグループは、それぞれ２のユーザを含むように構成できる。第１のＰＨＩＣＨスーパーグループがＲＥＧの第１の部分集合を使用し、第２のＰＨＩＣＨスーパーグループが、オーバーラップしていない、ＲＥＧの第２の部分集合を使用するように、２つのＰＨＩＣＨグループのＰＨＩＣＨスーパーグループをそれぞれ形成できる。この技術の１つの例示的な構成は、図５中の図５００により、２本のＴｘアンテナのケースに対して図示されている。図５００が図示するように、１組の４つのＰＨＩＣＨグループを、２つのＰＨＩＣＨスーパーグループにグループ化でき、それにより、各スーパーグループは、２本のＴｘアンテナに対応する、利用可能な２つのレイヤにマッピングされる。次に、図５００は、一方のスーパーグループに対応するＰＨＩＣＨが、Ｔｘアンテナに関係する、第１の組の周波数リソースにマッピングされ、他方のスーパーグループに対応するＰＨＩＣＨが、残りの周波数リソースにマッピングされるように、各ＰＨＩＣＨスーパーグループに対して、プリコーディングおよびＲＥマッピングを異なるように実行できることを図示している。そうすることにより、ＰＨＩＣＨに対するリソースマッピングが、従来のマッピング技術に関係するリソースの浪費を招くことなく達成できることが理解できる。
【００４６】
図５００が図示するように、ＰＨＩＣＨスーパーグループは、奇数でインデックスが付けられたＰＨＩＣＨグループを奇数のスーパーグループに配置し、偶数でインデックスが付けられたＰＨＩＣＨグループを偶数のスーパーグループに配置することにより、形成できる。しかしながら、スーパーグループへのＰＨＩＣＨグループの他の何らかのグループ分けを利用できることを認識すべきである。例えば、１組の４つのＰＨＩＣＨグループの場合、第１および第２のグループを第１のスーパーグループに配置でき、一方、第３および第４のグループを第２のスーパーグループに配置できる。さらに、または、代わりに、他の何らかのグループ分けを利用できる。さらに、図５００は、第１のＰＨＩＣＨスーパーグループが、ＲＥＧの第１の２つのエレメントを利用でき、第２のＰＨＩＣＨスーパーグループが、残りの２つのエレメントを利用できることを図示するが、ＰＨＩＣＨスーパーグループは、何らかの適切な方法で、ＲＥＧ中のオーバーラップしていない、リソースエレメントの組にマッピングできることを理解すべきである。さらに、ここで記述する技術は、任意の数のＰＨＩＣＨグループおよび／または任意の適用可能なＲＥＧサイズに対して利用できることも理解すべきである。
【００４７】
特定の、限定的でない例として、１組の４つのＰＨＩＣＨグループの場合、２つのＰＨＩＣＨグループを一緒にグループ化して、スーパーＰＨＩＣＨグループを形成でき、スーパーＰＨＩＣＨグループは、図５００中で図示されているように、各小規模のＣＣＥに対して多重化され得る。１つの観点にしたがうと、図５００により図示されるマッピングは、さまざまな方法で実現できる。第１の例において、ＰＨＩＣＨに対する直交シーケンスは、以下の表１にしたがって修正でき、ここで、ｎPHICHseqは、対応するＰＨＩＣＨグループ内の所定のＰＨＩＣＨのインデックスを表し、ＮSFPHICHは、ＰＨＩＣＨグループのサイズを表す。
【表１】
0005518832.tif 000007
【００４８】
表１が示すように、共通のＲＥＧ上で２つのＰＨＩＣＨグループに対応するために、拡張ＣＰのケースに従来から関係するＳＦ２拡散コードは、既知の位置においてＳＦ２拡散コードにゼロを追加することにより、ＳＦ４に拡張できる。１つの例において、先の表１中で使用されるＮSFPHICHは、通常のＣＰおよび拡張ＣＰの両方のケースに対して４に等しい。さらに、表１は、奇数のＰＨＩＣＨグループから形成されるスーパーグループに関係する拡散コードの終わりと、偶数のＰＨＩＣＨグループから形成されるスーパーグループに関係する拡散コードの開始とに、ゼロを追加できることを示しているが、ゼロは、スーパーグループにそれぞれ関係するコード内の、任意の適切な、オーバーラップしていない位置に追加できることを理解すべきである。したがって、それぞれのＰＨＩＣＨスーパーグループは、小規模ＣＣＥ中の、任意の適切な、オーバーラップしていない副搬送波の部分集合上にマッピングできることを理解すべきである。さらに、スーパーグループの生成は、任意の適切な方法で実行でき、スーパーグループの生成は、それぞれのスーパーグループが、偶数のＰＨＩＣＨグループと、奇数のＰＨＩＣＨグループとから形成されることを必要としないことを理解すべきである。
【００４９】
第２の例において、ＰＨＩＣＨに対するリソースマッピングは、次の方法で修正できる。最初に、拡張ＣＰのケースにおける２本のＴｘアンテナのポート上での送信に対して、それぞれの偶数のＰＨＩＣＨグループに対するシーケンス
【数６】
0005518832.tif 000008
【００５０】
は、次のように定義できる。
【数７】
0005518832.tif 000009
【００５１】
ここで、加算は、適用可能なＰＨＩＣＨグループ中のすべてのＰＨＩＣＨに対して実行され、ｙe,i(p)（ｎ）は、ＰＨＩＣＨグループ中のｉ番目のＰＨＩＣＨからのシンボルシーケンスを表す。同様に、それぞれの奇数のＰＨＩＣＨグループに対するシーケンス
【数８】
0005518832.tif 000010
【００５２】
は、次のように定義できる。
【数９】
0005518832.tif 000011
【００５３】
ここで、加算は、適用可能なＰＨＩＣＨグループ中のすべてのＰＨＩＣＨに対して実行され、ｙo,i(p)（ｎ）は、ＰＨＩＣＨグループ中のｉ番目のＰＨＩＣＨからのシンボルシーケンスを表す。
【００５４】
上述の定義に基づいて、アンテナポートｐに対するｉ番目のシンボルクァドループレットは、次のように定義できる。
【数１０】
0005518832.tif 000012
【００５５】
ここで、
【数１１】
0005518832.tif 000013
【００５６】
である。しかしながら、このマッピングは、２つのＰＨＩＣＨグループを共通の小規模ＣＣＥ上にマッピングするために利用できるマッピングの例にすぎないことを理解すべきである。例えば、上述のマッピングは、偶数および奇数のＰＨＩＣＨスーパーグループを利用するが、スーパーグループは、何らかの適切な方法で形成できることを理解すべきである。さらに、ＲＥＧ内の任意の適切な副搬送波の部分集合にスーパーグループをマッピングできることを理解すべきである。１つの観点にしたがうと、レイヤマッピングおよび／またはプリコーディングは、ここで記述するリソース管理技術および／または他の任意の適切なリソース管理技術のうちの１つ以上に関連して、当技術分野で一般的に知られているように実行できる。
【００５７】
別の観点にしたがうと、２本のＴｘアンテナおよび拡張ＣＰ構造を有するシステムに対して上述のように利用されるリソース管理技術と同様のリソース管理技術を、１本のＴｘアンテナを有するシステムのケースにおいて用いることができる。そのような例において、ＰＨＩＣＨに対するレイヤマッピングは、ｘ(0)（ｉ）＝ｄ(0)（ｉ）により実行でき、一方、プリコーディングは、ｙ(0)（ｉ）＝ｘ(0)（ｉ）を使用して実行できる。したがって、１本のＴｘアンテナのケースにおける、それぞれのＰＨＩＣＨグループに対するリソース管理は、上述の技術（例えば、直交シーケンスの修正および／またはリソースマッピングの修正）および／または他の任意の適切な技術のうちの１つ以上を使用して、ＰＨＩＣＨグループをスーパーグループに分割し、それぞれのスーパーグループを、オーバーラップしていない、関連するＲＥＧのエレメントにマッピングすることにより、実行できる。１組の４つのＰＨＩＣＨグループと、１つのＴｘアンテナとに対するそのような技術の結果の例を、図６中の図６００により図示する。図６は、偶数および奇数のスーパーグループが形成されている例を図示しているが、ＰＨＩＣＨグループを、任意の適切な方法でスーパーグループに形成できることを理解すべきである。さらに、偶数のスーパーグループが、関連するＲＥＧの最初の２つのエレメントを占めるように図示され、奇数のスーパーグループが、最後の２つのエレメントを占めるように図示されているが、リソースは、任意の適切な方法で、ＰＨＩＣＨスーパーグループ間で分配できることを理解すべきである。
【００５８】
これから図７ないし図１１を参照すると、ここで示すさまざまな観点にしたがって実行できる方法が図示されている。説明を簡単にするために、一連の動作として、方法を示し、説明しているが、１つ以上の観点にしたがって、いくつかの動作は、異なる順序で発生してもよく、および／または、ここで示し記述した動作以外の動作と同時に発生してもよいことから、方法は動作の順序によって限定されないことを理解および認識すべきである。例えば、状態図におけるように、一連の相互に関係付けられた状態またはイベントとして、方法を代わりに表すことができることを、当業者は理解および認識するだろう。さらに、１つ以上の観点にしたがって方法を実現するために、説明されているすべての動作を要求しなくてもよい。
【００５９】
図７を参照すると、ＰＨＩＣＨ送信に関係するリソースを管理する方法７００が図示されている。方法７００は、例えば、基地局（例えば、基地局１１０）および／または他の任意の適切なネットワークデバイスによって実行できることを理解すべきである。方法７００は、ブロック７０２において開始し、１組のＰＨＩＣＨグループと、対応する１組のＰＨＩＣＨ送信リソースが識別される。次に、ブロック７０４において、ブロック７０２において識別されたＰＨＩＣＨグループが、予め規定されている整数Ｎ（例えば、２）の、Ｎ個のスーパーグループにグループ化される。ブロック７０６において、ブロック７０２において識別されたＰＨＩＣＨリソースが、Ｎ個のオーバーラップしていない部分集合に分割される。ブロック７０８において、ブロック７０４において形成されたＰＨＩＣＨスーパーグループが、ブロック７０６において生成された、それぞれのリソースの部分集合にマッピングされ、それにより、それぞれのＰＨＩＣＨスーパーグループ中のグループがそれぞれ対応するリソースの部分集合に対して多重化される。ブロック７０８において記述した動作が完了すると、方法７００は、完結するか、または、完結する前にオプションとしてブロック７１０に進むことができ、ブロック７１０において、ＰＨＩＣＨグループがブロック７０８において多重化されたリソース上で、ＰＨＩＣＨグループが１つ以上の端末に送信される。
【００６０】
図８に目を向けると、ＰＨＩＣＨ送信に関係するリソースを管理する、追加の方法８００が図示されている。方法８００は、例えば、ノードＢおよび／または他の任意の適切なデバイスにより実行できる。方法８００はブロック８０２において開始し、第１のＰＨＩＣＨスーパーグループと、第２のＰＨＩＣＨスーパーグループと、１組の対応するＲＥＧとが識別される。方法８００は、１組の２つのＰＨＩＣＨスーパーグループに対する一連の動作を記述しているが、方法８００により記述される動作と同様の動作を、任意の数のスーパーグループに対して利用できることを理解すべきである。さらに、スーパーグループは、任意の適切な方法で（例えば、上述したように偶数および奇数のスーパーグループとして）形成できることを理解すべきである。
【００６１】
次に、ブロック８０４において、第１のＰＨＩＣＨスーパーグループに関係するＳＦ２拡散コードに対して、予め定められているコード位置においてゼロを追加することを少なくとも部分的に行うことにより、ＳＦ４拡散コードが、ブロック８０２において識別された第１のＰＨＩＣＨスーパーグループに対して生成される。ブロック８０６において、第２のＰＨＩＣＨスーパーグループに関係するＳＦ２拡散コードに対して、ゼロがブロック８０４において、第１のＰＨＩＣＨスーパーグループに対してコードに追加された位置と反対のコード位置においてゼロを追加することを少なくとも部分的に行うことにより、ＳＦ４拡散コードが、第２のＰＨＩＣＨスーパーグループに対して生成される。したがって、１つの例において、ブロック８０４において、第１および第２のコード位置に、ブロック８０６において、第３および第４のコード位置に、ゼロを追加できる。方法８００は、ブロック８０８において完結することができ、ブロック８０４および８０６においてＰＨＩＣＨスーパーグループに対して発生されたＳＦ４拡散コードを使用して、ＰＨＩＣＨスーパーグループが、ブロック８０２において識別されたＲＥＧにマッピングされる。
【００６２】
図９は、ＰＨＩＣＨ送信に関係するリソースを管理する、さらなる方法９００を説明する。方法９００は、例えば、基地局および／または他の任意の適切なネットワークデバイスにより実行できる。方法９００は、９０２において開始し、第１のＰＨＩＣＨスーパーグループと、第２のＰＨＩＣＨスーパーグループと、１組の対応するＲＥＧとが識別される。方法９００は、１組の２つのＰＨＩＣＨスーパーグループに対する一連の動作を記述しているが、方法９００により記述されるのと同様の動作を、任意の数のスーパーグループに対して利用できることを理解すべきである。さらに、任意の適切な方法で（例えば、上述したように偶数および奇数のスーパーグループとして）スーパーグループを形成できることを理解すべきである。
【００６３】
次に、方法９００はブロック９０４に進むことができ、ブロック９０２において識別された１組のＲＥＧが、２つのオーバーラップしていない部分集合に分割される。方法９００は、ブロック９０６および９０８において記述される動作を実行することにより完結することができ、ブロック９０６において、第１のＰＨＩＣＨスーパーグループが、ブロック９０４において形成された、ＲＥＧの第１の部分集合にマッピングされ、ブロック９０８において、第２のＰＨＩＣＨスーパーグループが、ブロック９０４において形成された、ＲＥＧの第２の部分集合にマッピングされる。
【００６４】
次に、図１０を参照すると、ＰＨＩＣＨ送信に対してリソースグループの整列と、リソースエレメントのマッピングとを実行する方法１０００が説明されている。方法１０００は、ブロック１００２において開始し、１組のＮPHICHgroupＰＨＩＣＨグループが識別される。次に、ブロック１００４において、偶数のＰＨＩＣＨグループが、奇数のＰＨＩＣＨグループから区別され、その結果、偶数および奇数のＰＨＩＣＨグループが効果的に生成される。より詳細には、ブロック１００２において識別されたＰＨＩＣＨグループが、
【数１２】
0005518832.tif 000014
【００６５】
を満たす１組のシンボルｄ(0)（ｉ）にマッピングされる。ここで、Ｍsymbは、それぞれのＰＨＩＣＨグループ中のシンボルの数である。
【００６６】
ブロック１００４において記述した動作が完了すると、方法１０００は、ブロック１００６に続き、レイヤマッピングおよびプリコーディングが、ブロック１００４においてマッピングされた１組のシンボルｄ(0)（ｉ）に対して実行されて、ベクトルｙ（ｉ）＝［ｙ(0)（ｉ）．．．ｙ(P-1)（ｉ）］T、ｉ＝０，．．．，２Ｍsymb−１のブロックが取得される。ここで、ｙ(P)（ｉ）は、アンテナポートｐに対する信号を表し、Ｐ∈｛１，２，４｝は、利用可能なアンテナポートの数を表す。
【００６７】
１つの観点にしたがうと、プリコーディングおよびレイヤマッピングをブロック１００６において実行した後、ブロック１００８および１０１０において記述するように、リソースマッピングを実行できる。より詳細には、ブロック１００８において、シーケンス
【数１３】
0005518832.tif 000015
【００６８】
が、それぞれのＰＨＩＣＨグループ中のすべてのＰＨＩＣＨにわたって等式
【数１４】
0005518832.tif 000016
【００６９】
を使用して、ブロック１００２において識別された各ＰＨＩＣＨグループに対して定義される。ここで、ｙi(p)（ｎ）は、所定のＰＨＩＣＨグループ中のｉ番目のＰＨＩＣＨからのシンボルシーケンスを表す。次に、ブロック１０１０において、ｍ番目のＰＨＩＣＨグループと、（ｍ＋１）番目のＰＨＩＣＨグループとが、次のように共通のｍ’番目のリソースマッピングユニットに一緒にマッピングされる。
【数１５】
0005518832.tif 000017
【００７０】
１つの観点にしたがうと、ブロック１０１０において使用されるようなリソースマッピングユニットは、上述したさまざまな観点において使用されるＲＥに対応できる。さらに、偶数のＰＨＩＣＨグループおよび奇数のＰＨＩＣＨグループが、ブロック１００４において、それらのシンボルマッピングにしたがって一緒にグループ化されるので、１０１０におけるリソースマッピングは、偶数のＰＨＩＣＨグループおよび隣接の奇数のＰＨＩＣＨグループを、または、その逆を、上述した方法と同様の方法で共通のＲＥＧに配置するように動作できることを理解すべきである。最後に、ブロック１０１２において、リソースにマッピングされたＰＨＩＣＨグループは、以下のように定義できる、アンテナポートｐに対するマッピングされたクァドループレットｉとして送信できる。
【数１６】
0005518832.tif 000018
【００７１】
図１１に目を向けると、受信した制御送信のエレメントを識別してデコードする方法１１００が説明されている。方法１１００は、例えば、移動端末（例えば、端末１３０）および／または他の任意の適切なネットワークデバイスにより実行できることを理解すべきである。方法１１００は、ブロック１１０２において開始し、送信が、１組の制御リソースを通して基地局（例えば、基地局１１０）から受信される。次に、ブロック１１０４において、制御リソースの第１の部分集合と、制御リソースの、オーバーラップしていない第２の部分集合とが識別される。
【００７２】
ブロック１１０４において記述した動作が完了すると、方法１１００は、ブロック１１０６および／または１１０８に進むことができ、ブロック１１０６において、第１の組のＰＨＩＣＨグループが、ブロック１１０４において識別された制御リソースの第１の部分集合に対応する、１１０２において受信した送信の部分からデコードされ、ブロック１１０８において、第２の組のＰＨＩＣＨグループが、ブロック１１０４において識別された制御リソースの第２の部分集合に対応する、１１０２において受信した送信の部分からデコードされる。
【００７３】
１つの観点にしたがうと、方法１１００は、方法１１００を実行するエンティティに関係する、ＰＨＩＣＨグループの、１つ以上の組に基づいて、ブロック１１０６および／または１１０８に進むことができる。したがって、例えば、方法を実行するエンティティは、予め設定されているパラメータ、ブロック１１０２における送信が受信された基地局および／または別のネットワークデバイスからの１つ以上の以前の通信に基づいて、ならびに／あるいは、他の何らかの適切な方法で、第１の組のＰＨＩＣＨグループ、第２の組のＰＨＩＣＨ、または、その両方、との関連を識別できる。別の観点にしたがうと、ブロック１１０６においてデコードされた、第１の組のＰＨＩＣＨグループ、および／または、ブロック１１０８においてデコードされた、第２の組のＰＨＩＣＨグループは、送信がブロック１１０２において受信される基地局により生成されたＰＨＩＣＨスーパーグループに相当することができる。一般的に上述したように、ＰＨＩＣＨグループの組は、何らかの適切な方法で（例えば、偶数／奇数のスーパーグループとして、および／または、他の任意の方法で）生成できることを理解すべきである。
【００７４】
図１２に移動すると、制御送信に関係するリソースの管理を容易にする装置１２００が説明されている。装置１２００は、機能ブロックを含むように表されており、機能ブロックは、プロセッサ、ソフトウェア、または、これらの組み合わせ（例えば、ファームウェア）により実現される機能を表す機能ブロックとすることができることを理解すべきである。装置１２００は、ノードＢ（例えば、基地局１１０）により実現でき、それぞれのインジケータグループ（例えば、ＰＨＩＣＨグループ）から、それぞれのスーパーグループを形成するモジュール１２０２と、制御リソースの、オーバーラップしていない、それぞれの部分集合を使用して、形成されたスーパーグループを送信するモジュール１２０４とを含むことができる。
【００７５】
図１３は、制御送信に関係するリソースの管理を容易にする別の装置１３００を説明する。装置１３００は、機能ブロックを含むように表されており、機能ブロックは、プロセッサ、ソフトウェア、または、これらの組み合わせ（例えば、ファームウェア）により実現される機能を表す機能ブロックとすることができることを理解すべきである。装置１３００は、ＵＥ（例えば、端末１３０）により実現でき、制御送信を受信するモジュール１３０２と、制御送信に対応する、オーバーラップしていない、それぞれのリソースの組を識別するモジュール１３０４と、それぞれ識別された、リソースの組を使用して、エンコードされている、それぞれのインジケータグループをデコードするモジュール１３０６とを含むことができる。
【００７６】
図１４は、ここで記述する機能のさまざまな観点を実現するために利用できるシステム１４００のブロック図である。１つの例において、システム１４００は、基地局またはノードＢ１４０２を含む。図示するように、ノードＢ１４０２は、１つ以上の受信（Ｒｘ）アンテナ１４０６を通して、１つ以上のＵＥ１４０４から信号を受信でき、１つ以上の送信（Ｔｘ）アンテナ１４０８を通して、１つ以上のＵＥ１４０４に送信できる。さらに、ノードＢ１４０２は、受信アンテナ１４０６から情報を受信する受信機１４１０を備えることができる。１つの例において、受信機１４１０は、受信情報を復調する復調器（Ｄｅｍｏｄ）１４１２に動作可能に関係することができる。復調されたシンボルは、プロセッサ１４１４によって分析できる。プロセッサ１４１４は、メモリ１４１６に結合でき、メモリ１４１６は、コードクラスタ、アクセス端末割り当て、それに関連したルックアップテーブル、固有のスクランブリングシーケンス、に関連した情報、および／または、他の適切なタイプの情報を記憶できる。１つの例において、ノードＢ１４０２は、プロセッサ１４１４を用いて、方法７００、８００、９００、１０００ならびに／あるいは、他の類似の方法および適切な方法を実行できる。ノードＢ１４０２はまた、変調器１４１８を含むことができ、変調器１４１８は、送信アンテナ１４０８を通して、送信機１４２０によって送信する信号を多重化できる。
【００７７】
図１５は、ここで記述する機能のさまざまな観点を実現するために利用できる別のシステム１５００のブロック図である。１つの例において、システム１５００は、移動端末１５０２を含む。図示するように、移動端末１５０２は、１つ以上のアンテナ１５０８を通して、１つ以上の基地局１５０４から信号を受信でき、１つ以上の基地局１５０４に信号を送信できる。さらに、移動端末１５０２は、アンテナ１５０８から情報を受信できる受信機１５１０を備えることができる。１つの例において、受信機１５１０は、受信情報を復調する復調器（Ｄｅｍｏｄ）１５１２に動作可能に関係することができる。復調されたシンボルは次に、プロセッサ１５１４によって分析できる。プロセッサ１５１４は、メモリ１５１６に結合でき、メモリ１５１６は、移動端末１５０２に関連したデータおよび／またはプログラムコードを記憶できる。さらに、移動端末１５０２は、プロセッサ１５１４を用いて、方法１１００、ならびに／あるいは、他の類似の方法および適切な方法を実行できる。移動端末１５０２はまた、変調器１５１８を含むことができ、変調器１５１８は、アンテナ１５０８を通して、送信機１５２０によって送信する信号を多重化できる。
【００７８】
図１６を参照すると、ワイヤレス多元接続通信システムの説明図が、さまざまな観点にしたがって提供されている。１つの例において、アクセスポイント１６００（ＡＰ）は、複数のアンテナグループを含む。図１６中で図示するように、１つのアンテナグループが、アンテナ１６０４および１６０６を含むことができ、別のアンテナグループが、アンテナ１６０８および１６１０を含むことができ、別のアンテナグループが、アンテナ１６１２および１６１４を含むことができる。２つのアンテナだけが、各アンテナグループに対して、図１６中で示されているが、より多い、または、より少ないアンテナを各グループに対して利用できることを理解すべきである。別の例において、アクセス端末１６１６は、アンテナ１６１２および１６１４と通信することができ、ここでアンテナ１６１２および１６１４は、フォワードリンク１６２０によってアクセス端末１６１６に情報を送信し、リバースリンク１６１８によってアクセス端末１６１６から情報を受信する。さらに、および／または、代わりに、アクセス端末１６２２は、アンテナ１６０６および１６０８と通信することができ、ここでアンテナ１６０６および１６０８は、フォワードリンク１６２６によってアクセス端末１６２２に情報を送信し、リバースリンク１６２４によってアクセス端末１６２２から情報を受信する。周波数分割複信システムにおいて、通信リンク１６１８、１６２０、１６２４、および１６２６は、通信に対して異なる周波数を使用でき、例えば、フォワードリンク１６２０は、リバースリンク１６１８により使用されるものとは異なる周波数を使用してもよい。
【００７９】
通信するために指定されている、アンテナの各グループ、および／またはエリアは、アクセスポイントのセクタと呼ばれることがある。１つの観点にしたがうと、アンテナのグループは、アクセスポイント１６００によってカバーされるエリアのセクタにおけるアクセス端末に伝達するように設計できる。フォワードリンク１６２０および１６２６に対する通信において、アクセスポイント１６００の送信アンテナはビームフォーミングを利用して、異なるアクセス端末１６１６および１６２２に対するフォワードリンクの信号対雑音比を向上させることができる。さらに、ビームフォーミングを使用して、そのカバレッジを通してランダムに分散されているアクセス端末に送信するアクセスポイントは、単一のアンテナによってすべてのアクセス端末に送信するアクセスポイントよりも、近隣のセル中のアクセス端末に対してより少ない干渉を生じさせる。
【００８０】
アクセスポイント、例えば、アクセスポイント１６００は、端末と通信するために使用される固定局とすることができ、基地局、ノードＢ、アクセスネットワーク、および／または他の適切な用語で呼ばれ得る。さらに、アクセス端末、例えば、アクセス端末１６１６または１６２２は、移動端末、ユーザ機器、ワイヤレス通信デバイス、端末、ワイヤレス端末、および／または他の適切な用語で呼ばれ得る。
【００８１】
これから図１７を参照すると、ここで記述するさまざまな観点が機能できる例示的なワイヤレス通信システム１７００を図示するブロック図が提供されている。１つの例において、システム１７００は、送信機システム１７１０と、受信機システム１７５０とを含む、複数入力複数出力（ＭＩＭＯ）システムである。しかしながら、送信機システム１７１０および／または受信機システム１７５０はまた、複数入力単一出力システムに適用でき、複数入力単一出力システムにおいて、例えば、（例えば、基地局上の）複数の送信アンテナが、単一のアンテナデバイス（例えば、移動局）に対して１つ以上のシンボルストリームを送信できることを理解すべきである。さらに、ここで記述する送信機システム１７１０および／または受信機システム１７５０の観点は、単一出力単一入力アンテナシステムに関して利用できることを理解すべきである。
【００８２】
１つの観点にしたがうと、送信機システム１７１０において、多数のデータストリームに対するトラフィックデータが、データ源１７１２から送信（ＴＸ）データプロセッサ１７１４に提供される。１つの例において、各データストリームは、それぞれの送信アンテナ１７２４を通して送信できる。さらに、コード化されたデータを提供するために、各データストリームに対して選択された、特定のコーディングスキームに基づいて、ＴＸデータプロセッサ１７１４は、各データストリームに対するトラフィックデータをフォーマットし、エンコードし、インターリーブできる。１つの例において、各データストリームに対するコード化データは、ＯＦＤＭ技術を使用してパイロットデータと多重化できる。パイロットデータは、例えば、既知の方法で処理される既知のデータパターンである。さらに、パイロットデータを受信機システム１７５０において使用して、チャネル応答を推定できる。送信機システム１７１０に戻ると、各データストリームに対して多重化されたパイロットおよびコード化データは、各データストリームに対して選択された、特定の変調スキーム（例えば、ＢＰＳＫ、ＱＰＳＫ、Ｍ−ＰＳＫまたはＭ−ＱＡＭ）に基づいて変調（すなわち、シンボルマッピング）されて、変調シンボルが提供され得る。１つの例において、各データストリームに対するデータレート、コーディングおよび変調は、プロセッサ１７３０によって、実行され、および／または、提供される命令により決定できる。
【００８３】
次に、すべてのデータストリームに対する変調シンボルは、ＴＸ ＭＩＭＯプロセッサ１７２０に提供でき、ＴＸ ＭＩＭＯプロセッサ１７２０は、（例えば、ＯＦＤＭのために）変調シンボルをさらに処理できる。ＴＸ ＭＩＭＯプロセッサ１７２０は次に、ＮT個の変調シンボルストリームをＮT台のトランシーバ１７２２ａないし１７２２ｔに提供できる。１つの例において、各トランシーバ１７２２は、それぞれのシンボルストリームを受け取って処理し、１つ以上のアナログ信号を提供できる。各トランシーバ１７２２はさらに、アナログ信号を調整して（例えば、増幅し、フィルタし、およびアップコンバートする）、ＭＩＭＯチャネルに対する送信に適した変調信号を提供できる。したがって、トランシーバ１７２２ａないし１７２２ｔからのＮT個の変調信号は、それぞれ、ＮT本のアンテナ１７２４ａないし１７２４ｔから送信できる。
【００８４】
別の観点にしたがうと、受信機システム１７５０において、送信された変調信号は、ＮR本のアンテナ１７５２ａないし１７５２ｒにより受信できる。各アンテナ１７５２からの受信信号は、それぞれのトランシーバ１７５４に提供できる。１つの例において、各トランシーバ１７５４は、それぞれの受信信号を調整し（例えば、フィルタし、増幅し、およびダウンコンバートする）、調整された信号をデジタル化してサンプルを提供し、次にサンプルを処理して、対応する“受信”シンボルストリームを提供する。ＲＸ ＭＩＭＯ／データプロセッサ１７６０は次に、ＮR台のトランシーバ１７５４からＮR個の受信シンボルストリームを受け取り、特定の受信機処理技術に基づいて処理して、ＮT個の“検出された”シンボルストリームを提供できる。１つの例において、各検出されたシンボルストリームは、対応するデータストリームに対して送信された変調シンボルの推定であるシンボルを含むことができる。ＲＸプロセッサ１７６０は次に、各検出されたシンボルストリームを復調し、デインターリーブし、デコードすることを少なくとも部分的に行うことによって、各シンボルストリームを処理して、対応するデータストリームに対するトラフィックデータを復元できる。したがって、ＲＸプロセッサ１７６０による処理は、送信機システム１７１０におけるＴＸ ＭＩＭＯプロセッサ１７２０およびＴＸデータプロセッサ１７１４により実行される処理と相補的なものとすることができる。ＲＸプロセッサ１７６０は、さらに、処理したシンボルストリームをデータシンク１７６４に提供できる。
【００８５】
１つの観点にしたがうと、ＲＸプロセッサ１７６０により発生されるチャネル応答推定を使用して、受信機において空間／時間処理を実行し、電力レベルを調整し、変調レートまたはスキームを変更し、ならびに／あるいは他の適切な動作を行うことができる。さらに、ＲＸプロセッサ１７６０は、例えば、検出されたシンボルストリームの信号対雑音および干渉比（ＳＮＲ）のようなチャネル特性をさらに推定できる。ＲＸプロセッサ１７６０は次に、推定されたチャネル特性をプロセッサ１７７０に提供できる。１つの例において、ＲＸプロセッサ１７６０および／またはプロセッサ１７７０は、システムに対する“動作”ＳＮＲの推定をさらに導き出すことができる。プロセッサ１７７０は次に、チャネル状態情報（ＣＳＩ）を提供でき、チャネル状態情報（ＣＳＩ）は、通信リンクおよび／または受信データストリームに関する情報を含むことができる。この情報は、例えば、動作ＳＮＲを含むことができる。ＣＳＩは次に、ＴＸデータプロセッサ１７１８により処理され、変調器１７８０により変調され、トランシーバ１７５４ａないし１７５４ｒにより調整され、送信機システム１７１０に返送され得る。さらに、受信機システム１７５０におけるデータ源１７１６は、ＴＸデータプロセッサ１７１８によって処理される追加データを提供できる。
【００８６】
送信機システム１７１０に戻ると、受信機システム１７５０からの変調された信号は、アンテナ１７２４により受信され、トランシーバ１７２２により調整され、復調器１７４０により復調され、ＲＸデータプロセッサ１７４２により処理されて、受信機システム１７５０により報告されたＣＳＩが復元され得る。１つの例において、報告されたＣＳＩは次に、プロセッサ１７３０に提供でき、１つ以上のデータストリームに対して使用すべきデータレートならびにコード化および変調スキームを決定するために使用できる。決定されたコード化および変調スキームは、量子化のために、および／または、受信機システム１７５０への後の送信に使用するために、トランシーバ１７２２に提供できる。追加として、および／または代わりに、報告されたＣＳＩをプロセッサ１７３０によって使用して、ＴＸデータプロセッサ１７１４およびＴＸ ＭＩＭＯプロセッサ１７２０に対してさまざまな制御を発生させることができる。別の例において、ＲＸデータプロセッサ１７４２によって処理されるＣＳＩおよび／または他の情報は、データシンク１７４４に提供できる。
【００８７】
１つの例において、送信機システム１７１０におけるプロセッサ１７３０および受信機システム１７５０におけるプロセッサ１７７０は、それらのそれぞれのシステムにおける動作を指示する。さらに、送信機システム１７１０におけるメモリ１７３２および受信機システム１７５０におけるメモリ１７７２は、それぞれ、プロセッサ１７３０および１７７０によって使用されるプログラムコードおよびデータに対して記憶を提供できる。さらに、受信機システム１７５０において、さまざまな処理技術を使用して、ＮR個の受信信号を処理してＮT個の送信シンボルストリームを検出できる。これらの受信機処理技術は、等化技術と呼ぶこともできる、空間および空間−時間受信機処理技術、ならびに／あるいは、“連続的干渉キャンセル”または“連続的キャンセル”受信機処理技術と呼ぶこともできる“連続的ヌル化／等化および干渉キャンセル”受信機処理技術を含むことができる。
【００８８】
ここで記述した観点は、ハードウェア、ソフトウェア、ファームウェア、ミドルウェア、マイクロコード、または、それらの任意の組み合せによって実現できることを理解すべきである。システムおよび／または方法が、ソフトウェア、ファームウェア、ミドルウェアまたはマイクロコード、プログラムコードまたはコードセグメントにおいて実現されるとき、それらは、記憶装置コンポーネントのような機械読み取り可能媒体中に記憶できる。コードセグメントは、手続き、関数、サブプログラム、プログラム、ルーチン、サブルーチン、モジュール、ソフトウェアパッケージ、クラス、または命令の任意の組み合わせ、データ構造、またはプログラムのステートメントを表すことができる。情報、データ、引き数、パラメータ、またはメモリのコンテンツを渡し、および／または受け取ることにより、コードセグメントは、別のコードセグメントまたはハードウェア回路に結合できる。メモリの共有を含む任意の適切な手段、メッセージ受渡し、トークンパッシング方式、ネットワーク送信などを使用して、情報、引き数、パラメータ、データなどを渡し、転送し、または送信することができる。
【００８９】
ソフトウェア実現のために、ここで記述した技術は、ここで記述した機能を実行するモジュール（例えば、手続き、関数など）により実現できる。ソフトウェアコードは、メモリユニット中に記憶し、プロセッサによって実行できる。メモリユニットは、プロセッサの内部またはプロセッサの外部で実現でき、いずれのケースにおいても、メモリユニットは、当技術分野で知られているさまざまな手段によりプロセッサに通信可能に結合できる。
【００９０】
上述したものは１つ以上の観点の例を含む。もちろん、上述の観点を記述する目的のために、コンポーネントまたは方法のすべての考えられる組み合わせを記述することは可能ではないが、当業者は、さまざまな観点の多くのさらなる組み合わせおよび順列が可能であることを認識することができる。したがって、記述した観点は、すべてのそのような変更、修正および変形を包含するように向けられており、これらは特許請求の範囲の精神および範囲内にある。その上、用語“含む”が詳細な説明または特許請求の範囲のどちらかで使用される限り、そのような用語は、用語“具備する”が請求項中で移行語として使用されるときに解釈されるように用語“具備する”とある意味類似して包括的であることが意図されている。さらに、詳細な説明または特許請求の範囲のいずれかにおいて使用される用語“または”は、“非排他的論理和”であることを意味している。
以下に、本願出願の当初の特許請求の範囲に記載された発明を付記する。
［１］ワイヤレス通信システム中で制御リソースを管理する方法において、
１組の制御チャネルグループと、対応する１組の制御リソースとを識別することと、
予め定められている整数Ｎの、Ｎ個のスーパーグループに、前記１組の制御チャネルグループをグループ化することと、
前記１組の制御リソースを、Ｎ個のオーバーラップしていない部分集合に分割することと、
前記スーパーグループを、前記制御リソースのそれぞれの部分集合にマッピングし、それにより、前記それぞれのスーパーグループ中の制御チャネルグループが、前記制御リソースのそれぞれ対応する部分集合に対して多重化されることとを含む方法。
［２］前記制御チャネルグループは、物理ハイブリッド自動再送要求インジケータチャネル（ＰＨＩＣＨ）グループである上記［１］記載の方法。
［３］前記予め定められている整数Ｎは２に等しい上記［１］記載の方法。
［４］前記グループ化することは、
奇数でインデックスが付けられた制御チャネルグループを、奇数のスーパーグループにグループ化することと、
偶数でインデックスが付けられた制御チャネルグループを、偶数のスーパーグループにグループ化することとを含む上記［３］記載の方法。
［５］前記１組の制御チャネルグループは、４つの制御チャネルグループを含み、前記それぞれのスーパーグループは、２つの制御チャネルグループを含む上記［３］記載の方法。
［６］前記ワイヤレス通信システムは、拡張されたサイクリックプリフィックス（ＣＰ）を利用する上記［３］記載の方法。
［７］前記マッピングすることは、
前記それぞれのスーパーグループに関係するＳＦ２拡散コードを識別することと、
第１のスーパーグループ中のそれぞれの制御チャネルグループに対する第１の組のコード位置と、第２のスーパーグループ中のそれぞれの制御チャネルグループに対する、前記第１の組のコード位置とオーバーラップしていない第２の組のコード位置とにおいて、ＳＦ２拡散コードに対してゼロを追加することを少なくとも部分的に行うことにより、前記識別されたＳＦ２拡散コードをＳＦ４拡散コードに拡張することと、
前記拡張されたＳＦ４拡散コードを使用して、前記第１のスーパーグループおよび前記第２のスーパーグループ中の制御チャネルグループを、前記１組の制御リソースにマッピングすることとを含む上記［６］記載の方法。
［８］前記１組の制御リソースは、４つのリソースエレメントを含むリソースエレメントグループ（ＲＥＧ）に対応する上記［１］記載の方法。
［９］前記グループ化することは、前記１組の制御チャネルグループ中のそれぞれの制御チャネルグループを、第１のスーパーグループと、第２のスーパーグループとにグループ化することを含み、
前記マッピングすることは、前記ＲＥＧ中の、第１のリソースエレメントと第２のリソースエレメントとに、前記第１のスーパーグループをマッピングすることと、前記第１のリソースエレメントと前記第２のリソースエレメントとはそれぞれ異なる、前記ＲＥＧ中の第３のリソースエレメントと第４のリソースエレメントとに、前記第２のスーパーグループをマッピングすることとを含む上記［８］記載の方法。
［１０］前記制御チャネルグループがそれぞれマッピングされている前記制御リソースを使用して、前記制御チャネルグループを１つ以上の端末に送信することをさらに含む上記［１］記載の方法。
［１１］前記送信することは、１つ以上の送信アンテナを使用して、前記制御チャネルグループを送信することを含む上記［１０］記載の方法。
［１２］ワイヤレス通信装置において、
複数の制御インジケータグループと、１組の通信リソースとに関連するデータを記憶するメモリと、
それぞれの制御インジケータグループを、第１の制御インジケータグループの組と第２の制御インジケータグループの組とにグループ化し、前記１組の通信リソースを、第１および第２の、オーバーラップしていない部分に分割し、前記第１の制御インジケータグループの組を、前記通信リソースの第１の部分にマッピングし、前記第２の制御インジケータグループの組を、前記通信リソースの第２の部分にマッピングするように構成されているプロセッサとを具備するワイヤレス通信装置。
［１３］前記制御インジケータグループは、物理ハイブリッド自動再送要求インジケータチャネル（ＰＨＩＣＨ）グループである上記［１２］記載のワイヤレス通信装置。
［１４］前記プロセッサは、奇数でインデックスが付けられた制御インジケータグループを、前記第１の制御インジケータグループの組にグループ化し、偶数でインデックスが付けられた制御インジケータグループを、前記第２の制御インジケータグループの組にグループ化するようにさらに構成されている上記［１２］記載のワイヤレス通信装置。
［１５］前記複数の制御インジケータグループは、４つの制御インジケータグループを含む上記［１２］記載のワイヤレス通信装置。
［１６］前記メモリは、前記ワイヤレス通信装置により利用される拡張されたサイクリックプリフィックス（ＣＰ）構造に関連するデータをさらに記憶する上記［１２］記載のワイヤレス通信装置。
［１７］前記メモリは、前記複数の制御インジケータグループに関係するＳＦ２拡散コードに関連するデータをさらに記憶し、前記プロセッサは、前記第１の制御インジケータグループの組中のそれぞれの制御インジケータグループに対する第１の組のコード位置と、前記第２の制御インジケータグループの組中のそれぞれの制御インジケータグループに対する、オーバーラップしていない第２の組のコード位置とにおいて、前記ＳＦ２拡散コードに対してゼロを追加することを少なくとも部分的に行うことにより、前記ＳＦ２拡散コードをＳＦ４拡散コードに拡張し、前記拡張されたＳＦ４拡散コードを使用して、前記それぞれの制御インジケータグループの組中の制御インジケータグループを、前記通信リソースにマッピングするようにさらに構成されている上記［１６］記載のワイヤレス通信装置。
［１８］前記通信リソースは、リソースエレメントグループ（ＲＥＧ）を備え、前記ＲＥＧは、４つのリソースエレメントを含む上記［１２］記載のワイヤレス通信装置。
［１９］前記プロセッサは、前記ＲＥＧ中の第１および第２のリソースエレメントに、前記第１の制御インジケータグループの組をマッピングし、前記ＲＥＧ中の第３および第４のリソースエレメントに、前記第２の制御インジケータグループの組をマッピングするようにさらに構成されており、前記ＲＥＧ中の第１および第２のリソースエレメントは、前記ＲＥＧ中の第３および第４のリソースエレメントとそれぞれ異なる上記［１８］記載のワイヤレス通信装置。
［２０］前記プロセッサは、前記制御インジケータグループがそれぞれマッピングされている前記通信リソースを使用して、前記制御インジケータグループの送信を指示するようにさらに構成されている上記［１２］記載のワイヤレス通信装置。
［２１］前記プロセッサは、１つ以上の送信アンテナを使用して、前記制御インジケータグループを送信するようにさらに構成されている上記［２０］記載のワイヤレス通信装置。
［２２］ワイヤレス通信システム中で制御リソース管理を容易にする装置において、
前記装置は、
複数のインジケータグループから、それぞれのスーパーグループを形成する手段と、
前記スーパーグループを、リソースエレメントの、オーバーラップしていない、それぞれの組に関係付ける手段と、
前記スーパーグループがそれぞれ関係付けられているリソースエレメントの組を使用して、前記スーパーグループを送信する手段とを具備する装置。
［２３］前記インジケータグループは、それぞれ、１つ以上の物理ハイブリッド自動再送要求インジケータチャネル（ＰＨＩＣＨ）を備える上記［２２］記載の装置。
［２４］前記形成する手段は、
それぞれの、偶数でインデックスが付けられたインジケータグループから、偶数のスーパーグループを形成する手段と、
それぞれの、奇数でインデックスが付けられたインジケータグループから、奇数のスーパーグループを形成する手段とを備える上記［２２］記載の装置。
［２５］前記関係付ける手段は、
第１のシンボルシーケンスを使用して、前記偶数のスーパーグループ中の、それぞれのインジケータグループを、第１の組のリソースエレメントにマッピングする手段と、
第２のシンボルシーケンスを使用して、前記奇数のスーパーグループ中の、それぞれのインジケータグループを、第２の組のリソースエレメントにマッピングする手段とを備える上記［２４］記載の装置。
［２６］前記インジケータグループがそれぞれ関係付けられている前記リソースエレメントを使用して、前記インジケータグループを送信する手段をさらに具備する上記［２２］記載の装置。
［２７］コンピュータプログラムプロダクトにおいて、
１組の、偶数でインデックスが付けられた物理ハイブリッド自動再送要求インジケータチャネル（ＰＨＩＣＨ）グループと、１組の、奇数でインデックスが付けられたＰＨＩＣＨグループとを形成するためのコードと、
前記１組の、偶数でインデックスが付けられたＰＨＩＣＨグループを、第１の１組のリソースエレメントにマッピングするためのコードと、
前記１組の、奇数でインデックスが付けられたＰＨＩＣＨグループを、第２のオーバーラップしていない、１組のリソースエレメントにマッピングするためのコードと、
を備えるコンピュータ読取り可能媒体を具備するコンピュータプログラムプロダクト。
［２８］前記１組の、偶数でインデックスが付けられたＰＨＩＣＨグループをマッピングするためのコードは、第１のシンボルシーケンスを使用して、前記１組の、偶数でインデックスが付けられたＰＨＩＣＨグループをマッピングするためのコードを含み、前記１組の、奇数でインデックスが付けられたＰＨＩＣＨグループをマッピングするためのコードは、第２のシンボルシーケンスを使用して、前記１組の、奇数でインデックスが付けられたＰＨＩＣＨグループをマッピングするためのコードを含む上記［２７］記載のコンピュータ読取り可能媒体。
［２９］前記ＰＨＩＣＨグループがそれぞれマッピングされている前記リソースエレメントを使用して、前記ＰＨＩＣＨグループを送信するためのコードをさらに備える上記［２７］記載のコンピュータ読取り可能媒体。
［３０］ワイヤレス通信システム中で使用される方法において、
前記方法は、
１組の物理ハイブリッド自動再送要求インジケータチャネル（ＰＨＩＣＨ）グループを識別することと、
前記１組のＰＨＩＣＨグループを１組のシンボルにマッピングし、偶数のＰＨＩＣＨグループには、第１の組のシンボル位置において、ゼロでない値と、第２の組のシンボル位置において、ゼロの値とが割り当てられ、奇数のＰＨＩＣＨグループには、前記第１の組のシンボル位置において、ゼロの値と、前記第２の組のシンボル位置において、ゼロでない値とが割り当てられることと、
前記１組のシンボルに対して、レイヤマッピングとプリコーディングとを実行して、それぞれの利用可能なアンテナポートに対する信号を表す、ベクトルのブロックを取得することと、
それぞれのＰＨＩＣＨグループ中のＰＨＩＣＨに対応するシンボルシーケンスを加算して、前記ＰＨＩＣＨグループに対応する、結果として生じる、それぞれの加算されたシーケンスを取得することと、
前記それぞれのＰＨＩＣＨグループに対応する加算されたシーケンスを組み合わせることを少なくとも部分的に行うことにより、２つの隣接ＰＨＩＣＨグループのそれぞれの組を、共通のリソースマッピングユニットにマッピングすることとを含む方法。
［３１］制御送信に関係するリソースを識別する方法において、
識別されている１組の制御リソースにわたる、基地局からの送信を受信することと、
前記制御リソースの第１の部分集合と、制御リソースの、オーバーラップしていない第２の部分集合とを識別することと、
デコードすべき、前記送信内の制御チャネルを識別することと、
前記制御リソースの第１の部分集合または前記制御リソースの第２の部分集合から、前記デコードすべき制御チャネルに関係する制御リソースの部分集合を決定することと、
前記識別された、制御リソースの部分集合から、前記制御チャネルをデコードすることとを含む方法。
［３２］前記識別することは、デコードすべき物理ハイブリッド自動再送要求インジケータチャネル（ＰＨＩＣＨ）を識別することを含む上記［３１］記載の方法。
［３３］前記受信することは、複数のＰＨＩＣＨを含む送信を受信することを含み、それぞれのＰＨＩＣＨは、前記制御リソースの第１の部分集合または前記制御リソースの第２の部分集合のうちの１つに対して多重化される上記［３２］記載の方法。
［３４］前記ＰＨＩＣＨは、第１のスーパーグループと、第２のスーパーグループとにグループ化され、それにより、前記第１のスーパーグループは、前記制御リソースの第１の部分集合に対して多重化され、前記第２のスーパーグループは、前記制御リソースの第２の部分集合に対して多重化される上記［３３］記載の方法。
［３５］前記第１のスーパーグループは、１つ以上の、奇数でインデックスが付けられた、ＰＨＩＣＨのグループを含み、前記第２のスーパーグループは、１つ以上の、偶数でインデックスが付けられた、ＰＨＩＣＨのグループとを含む上記［３４］記載の方法。
［３６］前記デコードすることは、前記制御チャネルに関係する直交シーケンスを決定することを含む上記［３２］記載の方法。
［３７］前記識別することは、前記基地局から受信した情報に基づいて、デコードすべき少なくとも１つの制御チャネルを決定することを含む上記［３１］記載の方法。
［３８］ワイヤレス通信装置において、
１組の通信リソースと、前記ワイヤレス通信装置に関係するインジケータチャネルと、前記１組の通信リソースを通して受信される送信と、に関連するデータを記憶するメモリと、
第１の、インジケータチャネルのスーパーグループに関係する、前記通信リソースの第１の部分集合と、第２の、インジケータチャネルのスーパーグループに関係する、前記通信リソースの、オーバーラップしていない第２の部分集合とを識別し、前記ワイヤレス通信装置に関係するインジケータチャネルに関係する、インジケータチャネルのスーパーグループを識別し、前記識別された、前記通信リソースの部分集合からの送信から、前記ワイヤレス通信装置に関係するインジケータチャネルをデコードするように構成されているプロセッサとを具備するワイヤレス通信装置。
［３９］前記ワイヤレス通信装置に関係するインジケータチャネルは、物理ハイブリッド自動再送要求インジケータチャネル（ＰＨＩＣＨ）である上記［３８］記載のワイヤレス通信装置。
［４０］前記第１の、インジケータチャネルのスーパーグループは、１つ以上の、奇数でインデックスが付けられた、インジケータチャネルのグループを含み、前記第２の、インジケータチャネルのスーパーグループは、１つ以上の、偶数でインデックスが付けられた、インジケータチャネルのグループを含む上記［３８］記載の方法。
［４１］前記プロセッサは、前記ワイヤレス通信装置に関係するインジケータチャネルに関係する直交シーケンスを決定し、前記決定された直交シーケンスに基づいて、前記インジケータチャネルをデコードするようにさらに構成されている上記［３８］記載のワイヤレス通信装置。
［４２］制御送信をデコードすることを容易にする装置において、
前記装置は、
制御送信を受信する手段と、
前記制御送信に対応する、それぞれの、オーバーラップしていない、リソースの組を識別する手段と、
１つ以上のインジケータグループに対応する制御情報をデコードする手段とを具備し、
前記インジケータグループは、前記それぞれ識別された、リソースの組を使用して、前記制御送信内でエンコードされている装置。
［４３］前記制御情報は、１つ以上の物理ハイブリッド自動再送要求インジケータチャネル（ＰＨＩＣＨ）を含む上記［４２］記載の装置。
［４４］ＰＨＩＣＨは、第１のスーパーグループと、第２のスーパーグループとにグループ化され、それにより、前記第１のスーパーグループは、第１の組のリソースに対して多重化され、前記第２のスーパーグループは、第２の組のリソースに対して多重化される上記［４３］記載の装置。
［４５］前記第１のスーパーグループは、１つ以上の、奇数でインデックスが付けられた、ＰＨＩＣＨのグループを含み、前記第２のスーパーグループは、１つ以上の、偶数でインデックスが付けられた、ＰＨＩＣＨのグループを含む上記［４４］記載の装置。
［４６］前記デコードする手段は、前記１つ以上のインジケータグループに関係するそれぞれの直交シーケンスを決定する手段を備える上記［４２］記載の装置。
［４７］コンピュータプログラムプロダクトにおいて、
既知の１組の制御リソースを通して送信を受信するためのコードと、
第１の物理ハイブリッド自動再送要求インジケータチャネル（ＰＨＩＣＨ）スーパーグループに関係する、前記制御リソースの第１の部分を識別するためのコードと、
第２のＰＨＩＣＨスーパーグループに関係する、前記制御リソースの第２の部分を識別するためのコードであって、前記第１の部分と前記第２の部分は、実質的にオーバーラップしていないコードと、
前記第１のＰＨＩＣＨスーパーグループと、前記第２のＰＨＩＣＨスーパーグループとのうちの少なくとも１つから、デコードすべき１つ以上のＰＨＩＣＨを決定するためのコードと、
前記決定されたＰＨＩＣＨが含まれているＰＨＩＣＨスーパーグループに関係する、前記制御リソースのそれぞれの部分を使用して、前記１つ以上の決定されたＰＨＩＣＨをデコードするためのコードと、
を備えるコンピュータ読取り可能媒体を具備するコンピュータプログラムプロダクト。
［４８］前記第１のＰＨＩＣＨスーパーグループは、１つ以上の、奇数でインデックスが付けられた、ＰＨＩＣＨのグループを含み、前記第２のＰＨＩＣＨスーパーグループは、１つ以上の、偶数でインデックスが付けられた、ＰＨＩＣＨのグループを含む上記［４７］記載のコンピュータ読取り可能媒体。
［４９］前記デコードするためのコードは、前記１つ以上の決定されたＰＨＩＣＨに関係するそれぞれの直交シーケンスを決定するためのコードを含む上記［４７］記載のコンピュータ読取り可能媒体。
［５０］物理ハイブリッド自動再送要求インジケータチャネル（ＰＨＩＣＨ）情報を識別してデコードするためのコンピュータ実行可能命令を実行する集積回路において、
前記命令は、
デコードすべき１つ以上のＰＨＩＣＨと、前記１つ以上のＰＨＩＣＨが含まれている、それぞれのＰＨＩＣＨグループとを識別することと、
リソースエレメントグループ（ＲＥＧ）の割当てを識別し、前記ＲＥＧの割当ては、奇数でインデックスが付けられたＰＨＩＣＨグループに関係する、第１のＲＥＧ部分と、偶数でインデックスが付けられたＰＨＩＣＨグループに関係する、第２のＲＥＧ部分とを含むことと、
１つ以上のＲＥＧを含む１組のリソースを使用して、制御送信を受信することと、
前記第１のＲＥＧ部分中のリソースから、奇数でインデックスが付けられたＰＨＩＣＨグループ内に含まれる、識別されたＰＨＩＣＨをデコードすること、または、前記第２のＲＥＧ部分中のリソースから、偶数でインデックスが付けられたＰＨＩＣＨグループ内に含まれる、識別されたＰＨＩＣＨをデコードすること、のうちの少なくとも１つを実行することとを含む集積回路。
【図１】
0005518832.tif 000021
【図２】
0005518832.tif 000022
【図３】
0005518832.tif 000023
【図４】
0005518832.tif 000024
【図５】
0005518832.tif 000025
【図６】
0005518832.tif 000026
【図７】
0005518832.tif 000027
【図８】
0005518832.tif 000028
【図９】
0005518832.tif 000029
【図１０】
0005518832.tif 000030
【図１１】
0005518832.tif 000031
【図１２】
0005518832.tif 000032
【図１３】
0005518832.tif 000033
【図１４】
0005518832.tif 000034
【図１５】
0005518832.tif 000035
【図１６】
0005518832.tif 000036
【図１７】
0005518832.tif 000037